(57)【特許請求の範囲】
【請求項１】
市民ブロードバンド無線サービス（ＣＢＲＳ）帯域におけるチャネル割り当てのためのネットワークノード（１２）であって、前記ネットワークノード（１２）は、
前記ＣＢＲＳ帯域内の複数のチャネルのうちの１つをワイヤレスデバイス（１４）にマッピングし、前記ＣＢＲＳ帯域内の複数のチャネルのうちの１つをワイヤレスデバイス（１４）にマッピングすることは、
チャネル当たりの所定の最大電力およびワイヤレスデバイス（１４）の所定の最大送信電力に基づいて、前記ＣＢＲＳ帯域内の複数のチャネルの状態を決定することと、
前記複数のチャネルのうちの１つとして、複数の状態のうち特定の状態のチャネルを前記ワイヤレスデバイス（１４）にマッピングすることと、を含む、
ように構成された処理回路（１８）を有し、
前記複数の状態は前記ワイヤレスデバイス（１４）のためのチャネルの有用性を示す複数の制約要因を定義し、各制約要因は、前記ワイヤレスデバイス（１４）の前記最大送信電力からの電力の低減に対応する値に関連付けられ、
前記複数の制約要因は、前記ワイヤレスデバイス（１４）が市民ブロードバンド無線サービスデバイス（ＣＢＳＤ）かつ干渉保護されたエンティティ間で動作する唯一のＣＢＳＤであると仮定する個別の制約要因を含み、
前記特定の状態は、前記ワイヤレスデバイス（１４）の送信電力が前記チャネルの最大電力に等しくなることを許容された状態を含む、
ネットワークノード（１２）。
【請求項２】
請求項１に記載のネットワークノード（１２）であって、前記複数の状態は、前記ワイヤレスデバイス（１４）の前記所定の最大電力に対する前記複数のチャネルのそれぞれにおける送信電力の制限を示す、ネットワークノード（１２）。
【請求項３】
請求項１に記載のネットワークノード（１２）であって、前記複数の状態は、
前記ワイヤレスデバイス（１４）の送信電力が前記チャネルの最大電力に等しくなることを許容された状態に対応する無制限状態と、
前記ワイヤレスデバイス（１４）の前記送信電力が前記チャネルの最大電力よりも小さい電力に等しくなることを許容された状態に対応する制約状態と、 
前記ワイヤレスデバイス（１４）の前記送信電力が所定の電力制限を超えることが許容されない状態に対応する無効状態と、を含む、ネットワークノード（１２）。
【請求項４】
請求項１に記載のネットワークノード（１２）であって、前記ＣＢＲＳ帯域内の前記複数のチャネルの状態を決定することは、
前記ワイヤレスデバイス（１４）の管理接続セットのセットを決定することと、前記管理接続セットを少なくとも部分的にグラフ着色することとをさらに含み、
前記管理接続セットのセットを決定することは、 
スペクトルアクセスシステム（ＳＡＳ）接続セットに関連する前記ワイヤレスデバイス（１４）に干渉調整グループ（ＩＣＧ）を適用することと、
同じＩＣＧ内のワイヤレスデバイス（１４）間のグラフエッジを除去することと、
前記ＳＡＳ接続セット内の前記ワイヤレスデバイス（１４）へと共通チャネルグループ（ＣＣＧ）を適用することと、
同じＣＣＧ内の前記ワイヤレスデバイス（１４）をグラフ頂点に統合することと、により行われ、
前記グラフ着色することは、
前記管理接続セット内の各頂点を色にマッピングすることと、
前記管理接続セット内の各ワイヤレスデバイス（１４）を色にマッピングすることと、
により行われる、ネットワークノード（１２）。
【請求項５】
請求項４に記載のネットワークノード（１２）であって、前記複数の制約要因は、前記ワイヤレスデバイス（１４）が市民ブロードバンド無線サービスデバイス（ＣＢＳＤ）であると仮定し、かつ前記ワイヤレスデバイス（１４）が、前記グラフ着色からの色に割り当てられたチャネル内で動作するいくつかの他のＣＢＳＤのうちであると仮定する色制約要因を含む、ネットワークノード（１２）。
【請求項６】
請求項４に記載のネットワークノード（１２）であって、前記複数の制約要因は、前記ワイヤレスデバイス（１４）が市民ブロードバンド無線サービスデバイス（ＣＢＳＤ）かつ前記管理接続セットのＣＢＳＤの残りは前記複数のチャネルのうちの同じチャネルで動作することを仮定する最悪状況制約要因を含む、ネットワークノード（１２）。
【請求項７】
市民ブロードバンド無線サービス（ＣＢＲＳ）帯域におけるチャネル割り当てのためのネットワークノード（１２）のための方法であって、前記方法は、
前記ＣＢＲＳ帯域内の複数のチャネルのうちの１つをワイヤレスデバイス（１４）にマッピングすることを含み、前記ＣＢＲＳ帯域内の複数のチャネルのうちの１つを前記ワイヤレスデバイス（１４）にマッピングすることは、
チャネル当たりの所定の最大電力およびワイヤレスデバイスの所定の最大送信電力に基づいて、前記ＣＢＲＳ帯域内の複数のチャネルの状態を決定することと(ブロックＳ１００）、
前記複数のチャネルのうちの１つとして、複数の状態のうち特定の状態のチャネルを前記ワイヤレスデバイス（１４）にマッピングすることと、を含み、
前記複数の状態は前記ワイヤレスデバイス（１４）のためのチャネルの有用性を示す複数の制約要因を定義し、各制約要因は、前記ワイヤレスデバイス（１４）の前記最大送信電力からの電力の低減に対応する値に関連付けられ、
前記複数の制約要因は、前記ワイヤレスデバイス（１４）が市民ブロードバンド無線サービスデバイス（ＣＢＳＤ）かつ干渉保護されたエンティティ間で動作する唯一のＣＢＳＤであると仮定する個別の制約要因を含み、
前記特定の状態は、前記ワイヤレスデバイス（１４）の送信電力が前記チャネルの最大電力に等しくなることを許容された状態を含む、
方法。
【請求項８】
請求項７に記載の方法であって、前記複数の状態は、前記ワイヤレスデバイス（１４）の所定の最大電力に対する前記複数のチャネルのそれぞれにおける送信電力の制限を示す、方法。
【請求項９】
請求項７に記載の方法であって、前記複数の状態は、
前記ワイヤレスデバイス（１４）の送信電力が前記チャネルの最大電力に等しくなることを許容された状態に対応する無制限状態と、
前記ワイヤレスデバイス（１４）の前記送信電力が前記チャネルの最大電力よりも小さい電力に等しくなることを許容された状態に対応する制約状態と、 
前記ワイヤレスデバイス（１４）の前記送信電力が所定の電力制限を超えることが許容されない状態に対応する無効状態と、を含む、方法。
【請求項１０】
請求項８に記載の方法であって、前記ＣＢＲＳ帯域内の前記複数のチャネルの状態を決定することは、
前記ワイヤレスデバイス（１４）の管理接続セットのセットを決定することと、前記管理接続セットを少なくとも部分的にグラフ着色することとをさらに含み、
前記管理接続セットのセットを決定することは、 
スペクトルアクセスシステム（ＳＡＳ）接続セットに関連する前記ワイヤレスデバイス（１４）に干渉調整グループ（ＩＣＧ）を適用することと、 
同じＩＣＧ内のワイヤレスデバイス（１４）間のグラフエッジを除去することと、
前記ＳＡＳ接続セット内の前記ワイヤレスデバイス（１４）へと共通チャネルグループ（ＣＣＧ）を適用することと、
同じＣＣＧ内の前記ワイヤレスデバイス（１４）をグラフ頂点に統合することと、
により行われ、
前記グラフ着色することは、
前記管理接続セット内の各頂点を色にマッピングすることと、
前記管理接続セット内の各ワイヤレスデバイス（１４）を色にマッピングすることと、
により行われる、方法。
【請求項１１】
請求項１０に記載の方法であって、前記複数の制約要因は、前記ワイヤレスデバイス（１４）が市民ブロードバンド無線サービスデバイス（ＣＢＳＤ）であると仮定し、かつ前記ワイヤレスデバイス（１４）が、前記グラフ着色からの色に割り当てられたチャネル内で動作するいくつかの他のＣＢＳＤのうちであると仮定する色制約要因を含む、方法。
【請求項１２】
請求項１０に記載の方法であって、前記複数の制約要因は、前記ワイヤレスデバイス（１４）が市民ブロードバンド無線サービスデバイス（ＣＢＳＤ）かつ前記管理接続セットのＣＢＳＤの残りは前記複数のチャネルのうちの同じチャネルで動作することを仮定する最悪状況制約要因を含む、方法。
【請求項１３】
市民ブロードバンド無線サービス（ＣＢＲＳ）帯域におけるチャネル割り当てのためのワイヤレスデバイス（１４）であって、前記ワイヤレスデバイス（１４）は処理回路（２８）を有し、該処理回路（２８）は、
前記ＣＢＲＳ帯域内の複数のチャネルのうちの１つの、ワイヤレスデバイス（１４）へのマッピングを受信するように構成され、前記ＣＢＲＳ帯域内の複数のチャネルのうちの１つを前記ワイヤレスデバイス（１４）にマッピングすることは、
チャネル当たりの所定の最大電力およびワイヤレスデバイス（１４）の所定の最大送信電力に基づいた、前記ＣＢＲＳ帯域内の複数のチャネルの状態を決定することと、
前記複数のチャネルのうちの１つとして、複数の状態のうち特定の状態のチャネルを前記ワイヤレスデバイス（１４）にマッピングすることとに基づき、
前記複数の状態は前記ワイヤレスデバイス（１４）のためのチャネルの有用性を示す複数の制約要因を定義し、各制約要因は、前記ワイヤレスデバイス（１４）の前記最大送信電力からの電力の低減に対応する値に関連付けられ、
前記複数の制約要因は、前記ワイヤレスデバイス（１４）が市民ブロードバンド無線サービスデバイス（ＣＢＳＤ）かつ干渉保護されたエンティティ間で動作する唯一のＣＢＳＤであると仮定する個別の制約要因を含み、
前記特定の状態は、前記ワイヤレスデバイス（１４）の送信電力が前記チャネルの最大電力に等しくなることを許容された状態を含む、ワイヤレスデバイス（１４）。
【請求項１４】
請求項１３に記載のワイヤレスデバイス（１４）であって、前記複数の状態は、前記ワイヤレスデバイス（１４）の所定の最大電力に対する前記複数のチャネルのそれぞれにおける送信電力の制限を示す、ワイヤレスデバイス（１４）。
【請求項１５】
請求項１３に記載のネットワークノード（１４）であって、前記複数の状態は、
前記ワイヤレスデバイス（１４）の送信電力が前記チャネルの最大電力に等しくなることを許容された状態に対応する無制限状態と、
前記ワイヤレスデバイス（１４）の前記送信電力が前記チャネルの最大電力よりも小さい電力に等しくなることを許容された状態に対応する制約状態と、 
前記ワイヤレスデバイス（１４）の前記送信電力が所定の電力制限を超えることが許容されない状態に対応する無効状態と、を含む、ワイヤレスデバイス（１４）。
【請求項１６】
請求項１３に記載のワイヤレスデバイス（１４）であって、前記ＣＢＲＳ帯域内の前記複数のチャネルの状態を決定することは、
前記ワイヤレスデバイス（１４）の管理接続セットのセットを決定することと、前記管理接続セットを少なくとも部分的にグラフ着色することとをさらに含み、
前記管理接続セットのセットを決定することは、
スペクトルアクセスシステム（ＳＡＳ）接続セットに関連する前記ワイヤレスデバイス（１４）に干渉調整グループ（ＩＣＧ）を適用することと、
同じＩＣＧ内のワイヤレスデバイス（１４）間のグラフエッジを除去することと、
前記ＳＡＳ接続セット内の前記ワイヤレスデバイス（１４）へと共通チャネルグループ（ＣＣＧ）を適用することと、
同じＣＣＧ内の前記ワイヤレスデバイス（１４）をグラフ頂点に統合することと、
により行われ、 前記グラフ着色することは、
前記管理接続セット内の各頂点を色にマッピングすることと、
前記管理接続セット内の各ワイヤレスデバイス（１４）を色にマッピングすることと、
により行われる、ワイヤレスデバイス（１４）。
【請求項１７】
請求項１６に記載のワイヤレスデバイス（１４）であって、前記複数の制約要因は、前記ワイヤレスデバイス（１４）が市民ブロードバンド無線サービスデバイス（ＣＢＳＤ）であると仮定し、かつ前記ワイヤレスデバイス（１４）が、前記グラフ着色からの色に割り当てられたチャネル内で動作するいくつかの他のＣＢＳＤのうちであると仮定する色制約要因を含む、ワイヤレスデバイス（１４）。
【請求項１８】
請求項１６に記載のワイヤレスデバイス（１４）であって、前記複数の制約要因は、前記ワイヤレスデバイス（１４）が市民ブロードバンド無線サービスデバイス（ＣＢＳＤ）かつ前記管理接続セットのＣＢＳＤの残りは前記複数のチャネルのうちの同じチャネルで動作することを仮定する最悪状況制約要因を含む、ワイヤレスデバイス（１４）。
【請求項１９】
市民ブロードバンド無線サービス（ＣＢＲＳ）帯域におけるチャネル割り当てのためのワイヤレスデバイス（１４）のための方法であって、前記方法は、
前記ＣＢＲＳ帯域内の複数のチャネルのうちの１つの、ワイヤレスデバイス（１４）へのマッピングを受信することを含み、前記ＣＢＲＳ帯域内の複数のチャネルのうちの１つを前記ワイヤレスデバイス（１４）にマッピングすることは、
チャネル当たりの所定の最大電力およびワイヤレスデバイス（１４）の所定の最大送信電力に基づいた、前記ＣＢＲＳ帯域内の複数のチャネルの状態を決定することと（ブロックＳ１０２）、
前記複数のチャネルのうちの１つとして、複数の状態のうち特定の状態のチャネルを前記ワイヤレスデバイス（１４）にマッピングすることとに基づき、
前記複数の状態は前記ワイヤレスデバイス（１４）のためのチャネルの有用性を示す複数の制約要因を定義し、各制約要因は、前記ワイヤレスデバイス（１４）の前記最大送信電力からの電力の低減に対応する値に関連付けられ、
前記複数の制約要因は、前記ワイヤレスデバイス（１４）が市民ブロードバンド無線サービスデバイス（ＣＢＳＤ）かつ干渉保護されたエンティティ間で動作する唯一のＣＢＳＤであると仮定する個別の制約要因を含み、
前記特定の状態は、前記ワイヤレスデバイス（１４）の送信電力が前記チャネルの最大電力に等しくなることを許容された状態を含む、方法。
【請求項２０】
請求項１９に記載の方法であって、前記複数の状態は、前記ワイヤレスデバイス（１４）の所定の最大電力に対する前記複数のチャネルのそれぞれにおける送信電力の制限を示す、方法。
【請求項２１】
請求項１９に記載の方法であって、前記複数の状態は、
前記ワイヤレスデバイス（１４）の送信電力が前記チャネルの最大電力に等しくなることを許容された状態に対応する無制限状態と、
前記ワイヤレスデバイス（１４）の前記送信電力が前記チャネルの最大電力よりも小さい電力に等しくなることを許容された状態に対応する制約状態と、
前記ワイヤレスデバイス（１４）の前記送信電力が所定の電力制限を超えることが許容されない状態に対応する無効状態と、を含む、ワイヤレスデバイス（１４）。
【請求項２２】
請求項１９に記載の方法であって、前記ＣＢＲＳ帯域内の前記複数のチャネルの状態を決定することは、
前記ワイヤレスデバイス（１４）の管理接続セットのセットを決定することと、前記管理接続セットを少なくとも部分的にグラフ着色することとを含み、
前記管理接続セットのセットを決定することは、
スペクトルアクセスシステム（ＳＡＳ）接続セットに関連する前記ワイヤレスデバイス（１４）に干渉調整グループ（ＩＣＧ）を適用することと、
同じＩＣＧ内のワイヤレスデバイス（１４）間のグラフエッジを除去することと、
前記ＳＡＳ接続セット内の前記ワイヤレスデバイス（１４）へと共通チャネルグループ（ＣＣＧ）を適用することと、
同じＣＣＧ内の前記ワイヤレスデバイス（１４）をグラフ頂点に統合することと、
により行われ、
前記グラフ着色することは、
前記管理接続セット内の各頂点を色にマッピングすることと、
前記管理接続セット内の各ワイヤレスデバイス（１４）を色にマッピングすることと、
により行われる、方法。
【請求項２３】
請求項２２に記載の方法であって、前記複数の制約要因は、前記ワイヤレスデバイス（１４）が市民ブロードバンド無線サービスデバイス（ＣＢＳＤ）であると仮定し、かつ前記ワイヤレスデバイス（１４）が、前記グラフ着色からの色に割り当てられたチャネル内で動作するいくつかの他のＣＢＳＤのうちであると仮定する色制約要因を含む、方法。
【請求項２４】
請求項２２に記載の方法であって、前記複数の制約要因は、前記ワイヤレスデバイス（１４）が市民ブロードバンド無線サービスデバイス（ＣＢＳＤ）かつ前記管理接続セットのＣＢＳＤの残りは前記複数のチャネルのうちの同じチャネルで動作することを仮定する最悪状況制約要因を含む、方法。
【請求項２５】
市民ブロードバンド無線サービス（ＣＢＲＳ）帯域におけるチャネル割り当てのためのネットワークノード（１２）であって、前記ネットワークノード（１２)は、
前記ＣＢＲＳ帯域内の複数のチャネルのうちの１つをワイヤレスデバイス（１４）にマッピングするよう構成されたマッピングモジュール（３６）を含み、前記ＣＢＲＳ帯域内の複数のチャネルのうちの１つを前記ワイヤレスデバイス（１４）にマッピングすることは、
チャネル当たりの所定の最大電力およびワイヤレスデバイス（１４）の所定の最大送信電力に基づいて、前記ＣＢＲＳ帯域内の複数のチャネルの状態を決定することと、
前記複数のチャネルのうちの１つとして、複数の状態のうち特定の状態のチャネルを前記ワイヤレスデバイス（１４）にマッピングすることと、を含み、
前記複数の状態は前記ワイヤレスデバイス（１４）のためのチャネルの有用性を示す複数の制約要因を定義し、各制約要因は、前記ワイヤレスデバイス（１４）の前記最大送信電力からの電力の低減に対応する値に関連付けられ、
前記複数の制約要因は、前記ワイヤレスデバイス（１４）が市民ブロードバンド無線サービスデバイス（ＣＢＳＤ）かつ干渉保護されたエンティティ間で動作する唯一のＣＢＳＤであると仮定する個別の制約要因を含み、
前記特定の状態は、前記ワイヤレスデバイス（１４）の送信電力が前記チャネルの最大電力に等しくなることを許容された状態を含む、
ネットワークノード（１２）。
【請求項２６】
市民ブロードバンド無線サービス（ＣＢＲＳ）帯域におけるチャネル割り当てのためのワイヤレスデバイス（１４)であって、前記ワイヤレスデバイス（１４）は、
前記ＣＢＲＳ帯域内の複数のチャネルのうちの１つの、ワイヤレスデバイス（１４）へのマッピングを受信するように構成された受信モジュール（３８）を含み、前記ＣＢＲＳ帯域内の複数のチャネルのうちの１つを前記ワイヤレスデバイス（１４）にマッピングすることは、
チャネル当たりの所定の最大電力およびワイヤレスデバイス（１４）の所定の最大送信電力に基づいた、前記ＣＢＲＳ帯域内の複数のチャネルの状態を決定することと、
前記複数のチャネルのうちの１つとして、複数の状態のうち特定の状態のチャネルを前記ワイヤレスデバイス（１４）にマッピングすることと
に基づき、
前記複数の状態は前記ワイヤレスデバイス（１４）のためのチャネルの有用性を示す複数の制約要因を定義し、各制約要因は、前記ワイヤレスデバイス（１４）の前記最大送信電力からの電力の低減に対応する値に関連付けられ、
前記複数の制約要因は、前記ワイヤレスデバイス（１４）が市民ブロードバンド無線サービスデバイス（ＣＢＳＤ）かつ干渉保護されたエンティティ間で動作する唯一のＣＢＳＤであると仮定する個別の制約要因を含み、
前記特定の状態は、前記ワイヤレスデバイス（１４）の送信電力が前記チャネルの最大電力に等しくなることを許容された状態を含む、
ワイヤレスデバイス（１４）。
【発明の詳細な説明】
【技術分野】
【０００１】
無線通信および、特に、市民ブロードバンド無線サービス（ＣＢＲＳ）運用のためのチャネルを評価し、ランク付けするための方法、無線デバイス、およびネットワークノードに関する。
【背景技術】
【０００２】
はじめに
モバイルセルラネットワークの進歩およびワイヤレスデバイスの人気は、ユーザスループットの絶え間ない成長と組み合わされて、ワイヤレス通信スペクトルリソースに対する巨大な需要を生み出してきた。スペクトル管理には、３つの主要なアプローチがある。
【０００３】
- 専用スペクトルを使用する特権に対して相当の料金を支払う事業者にスペクトルをライセンスする、
- 公平なスペクトルアクセスを保証することを目的とした所定の規則を使用してデバイスが同じスペクトルを共有する無免許スペクトル、
- 共有スペクトル、例えば、モバイル事業者とおそらく既存のユーザとの間の使用時間または地理的制約に基づいて、通常、使用権の分割を提案する、ライセンス共有アクセス（ＬＳＡ）または認可共有アクセス（ＡＳＡ）。
【０００４】
共有スペクトルシナリオの一般的な使用は、いくつかの市場においてライセンスされたユーザ（例えば、ワイヤレスデバイス、システムなど）に利用可能な帯域の使用を可能にすることであるが、レーダまたは衛星システムなどの既存のシステムのせいで、他では制限されている。既存のシステムは配備領域の周りで保護することができ、一方、既存のシステムへの移動／ワイヤレスシステムからの総干渉が許容可能なレベルの雑音上昇または性能劣化に制限されるように、移動／ワイヤレスインフラストラクチャの認可を与えることができる。ＬＳＡでは、モバイル／ワイヤレス事業者が許可または認可されたエリアで営業することがライセンスされており、ＡＳＡに対する合理的な規制アプローチである。
【０００５】
アメリカ合衆国（ＵＳＡ）では、現在、国防省システムのような既存のシステムによって占有されている３．５ＧＨｚ帯域に新しい市民ブロードバンド無線サービス（ＣＢＲＳ）を創設することにより、ワイヤレスイノベーションの絶えず増大する需要を満たすために、多くの必要な容量が追加されることになる。ＣＢＲＳはスペクトルに対するＡＳＡのより積極的な適用を表し、既存のシステムと共有される長期の地理的ライセンスに加えて、複数の事業者が、互いに地理的に近接して共存することもできる。
【０００６】
３．５ＧＨｚ帯域での共有はユーザの３つの層（例えば、無線デバイス、システムなど）の間で生じる。スペクトルへのアクセスは、既存のものを保護するために使用されるジオロケーションデータベースおよびポリシー管理機能を実装し、加えて階層化されたアクセスフレームワークを実装する、スペクトルアクセスシステム（ＳＡＳ）によって管理される。既存のユーザ（例えば、既存のワイヤレスデバイス、システムなど）は、このフレームワークにおいて最高層を表し、市民ブロードバンド無線サービスユーザから干渉保護を受信する。保護された既存のものには、上述の連邦事業、ならびに固定衛星サービス（ＦＳＳ）が含まれ、有限期間、帯域の３６５０〜３７００ＭＨｚ部分における適用除外される地上ワイヤレス事業が含まれる。
【０００７】
市民ブロードバンド無線サービス自体は、既存のユーザ、優先アクセス、および一般認可アクセス（ＧＡＡ）ユーザの３つの層からなる。最後の２つの階層は両方とも、ＳＡＳによって任意の所与の場所および周波数で認可される。名前が示すように、優先アクセスの運用は、ＧＡＡの運用から保護を受ける。優先アクセスライセンス（ＰＡＬ）は、１０ＭＨｚチャネルを、３年間をひとつの単位として使用する認可として規定され、帯域の３５５０〜３６５０ＭＨｚ部分の７０メガヘルツまでに割り当てられる。ＧＡＡの使用は、原則として、１５０ＭＨｚ帯域全体にわたって許容される。ＧＡＡユーザ（例えば、ワイヤレスデバイス、システムなど）は、他の市民ブロードバンド無線サービスのユーザから干渉保護を受けない。帯域は、小型セルおよび広域マクロ展開の両方の展開のために設計されている。
【０００８】
図１は、３．５ＧＨｚ市民ブロードバンド無線サービスのためのスペクトル解剖学的構造のブロック図である。動作中、市民ブロードバンド無線サービス装置（ＣＢＳＤ）は最初にＳＡＳに登録し、他の登録パラメータと共にＣＢＳＤの位置情報を提供し、次いで、ＣＢＳＤは、ＳＡＳが特定のチャネルにおいてアクセスを許可することを要求する。アクセスを許可する前に、ＳＡＳは、環境検知能力（ＥＳＣ）ネットワークからの情報を使用して、ＣＢＳＤが稼働するエリア内の既存のユーザ／ワイヤレスデバイスからの既存のアクティビティを検出する。ＳＡＳはまた、同じエリア内の他のＣＢＳＤからの測定レポートを使用して、あるチャネル内の干渉のレベルを決定し、また、チャネルがＰＡＬユーザアクティビティのために保護される必要があるかどうかを決定する。
【０００９】
図２は、ＳＡＳアーキテクチャのブロック図である。ＥＳＣは環境検知能力を指し、ＣＢＳＤは市民ブロードバンド無線サービスデバイスを指し、ＳＡＳはスペクトルアクセスシステムを指す。ＳＡＳはすべてのインターフェースをサポートする必要はなく、各ＤＢＳＤドメインは場合によっては環境検知コンポーネント（ＥＳＣ）を含む何らかの検知能力をオプションで含んでよい。
【００１０】
３５５０〜３７００ＭＨｚ帯域の既存のシステムは、沿岸レーダおよび地上レーダ、ならびに固定衛星サービス（ＦＳＳ）である。沿岸地域は、一組のセンサと、海岸線からＸ〜６５海里（約１２０ｋｍ）の距離からレーダの存在を検出する検出システムとから構成される環境検知コンポーネント（ＥＳＣ）によってカバーされる。検出イベントにより、ＳＡＳは、海岸線付近の定義済み除外ゾーン内に配置されたＣＢＳＤを再構成する。再構成は、ＣＢＳＤのための送信権の終了を含み、電力の低減または新しいスペクトルの再割り当ても含む。
【００１１】
この帯域により、２０１０年の国勢調査で確立された米国の７４０００以上の国勢調査地区のそれぞれについて、０〜７のＰＡＬの確立が可能になる。ＰＡＬは、３５５０〜３６５０ＭＨｚの範囲内のＳＡＳによるスペクトル割り当てに関連付けられてもよく、ライセンス当たり１０ＭＨｚの割り当てに対応してもよい。ＳＡＳは、ＣＢＳＤによって好まれる場合、複数のＰＡＬを互いに隣接して配置しようとする。ＰＡＬユーザ（たとえば、ワイヤレスデバイス、システムなど）は、−９６ｄＢｍ信号レベルを表す輪郭によって境界付けられるエリアによってせいぜい境界付けられるＰＡＬ保護エリア（ＰＰＡ）内のＣＢＳＤの登録された配置を保護することができる。ＰＰＡは、複数の調査地区の一部に重複してよい。ＰＰＡは単一のＣＢＳＤのカバレージに関して原子的に定義されるが、複合ＰＰＡは図３に示すように、地理的に近接したＣＢＳＤのカバレージエリアを組み合わせることによって構築することができ、すなわち、図３は例えば、マップ上に位置するポリゴンの頂点の組として、関連するＣＢＳＤの複合カバレージに基づいて決定されるＰＡＬ保護エリアのブロック図である。
【００１２】
図３はポリゴンの頂点の組として構築されたＰＰＡを示す（例えば、各頂点は、緯度、経度、およびオプションで、平均海面レベルまたは地表レベルより上の高度として位置する）。ＰＰＡは、−９６ｄＢｍ／１０ＭＨｚ輪郭線によって決定される最大カバレージである、ＣＢＳＤ信号のカバレージ輪郭線内にあるように制限される。すべてのＳＡＳは、カバレッジを決定するための一貫した方法を有すると想定される。ＰＰＡは一般的にはサービングＳＡＳに対してＣＢＳＤによって要求され、ＳＡＳはＰＡＬに対する要求の検証後にＰＰＡを許可する。
【００１３】
ＳＡＳは、−８０ｄＢｍの総干渉レベルまでＰＡＬを保護することしかできない。ＬＴＥ配備の場合、このことは、使用可能なカバレージ輪郭線が、とりわけ干渉レベルが限度にある場合、ＰＰＡよりもはるかに小さく、ＣＢＳＤは受信機感受性に近い動作をすることができないかもしれないことを意味している。ＰＡＬはＰＰＡの境界内で保護されるが、ＰＰＡ内で干渉限界を超えないことをＳＡＳが決定できる場合、調査地区内のＧＡＡユーザ（例えば、ワイヤレスデバイス、システムなど）への同一チャネル割当てが可能である。このような周波数の割り当ては、いくつかのＳＡＳから、特に人口の多い大都市圏内の調査地区で発生する可能性がある。図４は、２０１０年の国勢調査によるＰＡＬの保護基準のブロック図である。
【００１４】
ＣＢＲＳ３．５ＧＨｚ帯におけるＬＴＥ技術の使用を提唱するために、ＣＢＲＳアライアンスが結成された。ＣＢＲＳアライアンスは、ＬＴＥ技術を使用するネットワークとデバイスの共存のための技術報告書を制作している。ＣＢＲＳアライアンスは、ＣＢＳＤ間干渉を最小限に抑え、既存者および上位層ユーザを保護する方法で、チャネルをＣＢＳＤに割り当てることを担当する共存マネージャ（ＣｘＭ）の概念を導入している。
【発明の概要】
【００１５】
いくつかの実施形態は市民ブロードバンド無線サービス（ＣＢＲＳ）動作のためのチャネルを評価し、ランク付けするための方法およびシステムを有利に提供する。
【００１６】
ＣＢＲＳ帯域における共存は依然として標準化されており、チャネルマッピングのための解決策には到達していない。本開示は、ＣＢＳＤ運用のためのチャネルの選択を支援するために、ＣＢＳＤの各チャネルのための制約要因（ＣＦ）を有利に導入する。制約要因は既存の上位層ユーザ（例えば、ワイヤレスデバイス、システムなど）の保護のために課される電力削減の量を示す。実際の制約要因は同じチャネルを使用するＣＢＳＤの数に依存し、チャネル選択中には未知である。実際のチャネル制約要因の代わりとして、いくつかの他の制約要因が、チャネルの有用性を測定し、チャネル選択のためのチャネルランキングを支援するために定義される。
【００１７】
本開示の一実施形態によれば、市民ブロードバンド無線サービス（ＣＢＲＳ）帯域におけるチャネル割り当てのためのネットワークノードであって、前記ネットワークノードは、ＣＢＲＳ帯域における複数のチャネルのうちの１つをワイヤレスデバイスにマッピングするように構成された処理回路を備え、前記ＣＢＲＳ帯域における複数のチャネルのうちの１つを前記ワイヤレスデバイスにマッピングすることは、チャネル当たりの所定の最大電力と、前記ワイヤレスデバイスの所定の最大送信電力とに基づいて、前記ＣＢＲＳ帯域における複数のチャネルをランク付けすることを含む。
【００１８】
この態様の一実施形態によれば、前記処理回路は、前記ランク付けに基づいて、前記複数のチャネルのそれぞれの複数の状態のうちの１つを決定するようにさらに構成され、各状態は、前記ワイヤレスデバイスの所定の最大電力が前記複数のチャネルのそれぞれにおいて使用できるかどうかを示す。この態様の一実施形態によれば、前記複数の状態は、前記ワイヤレスデバイスの送信電力がチャネルの前記最大電力に等しくなることを許容される状態に対応する無制限状態と、前記ワイヤレスデバイスの送信電力がチャネルの前記最大電力より小さい電力に等しくなることを許容される状態に対応する制限状態と、前記ワイヤレスデバイスの送信電力が所定の電力限界を超えることを許容されない状態に対応する無効状態と、を含む。
【００１９】
この態様の一実施形態によれば、ランクは前記ワイヤレスデバイスのためのチャネルの有用性を示す複数の制約要因を定義し、各制約要因は、前記ワイヤレスデバイスの最大送信電力からの電力の低減に対応する値に関連付けられる。この態様の一実施形態によれば、前記複数の制約要因は、前記ワイヤレスデバイスが市民ブロードバンド無線サービスデバイス（ＣＢＳＤ）かつ干渉保護されたエンティティ間で動作する唯一のＣＢＳＤであると仮定する個別の制約要因を含む。この態様の一実施形態によれば、ＣＢＲＳ帯域内の前記複数のチャネルのうちの１つを前記ワイヤレスデバイスにマッピングすることはさらに以下を含む：前記ワイヤレスデバイスの管理接続セットのセットを決定することであって、該決定することは、前記スペクトルアクセスシステム（ＳＡＳ）接続セットに関連付けられたワイヤレスデバイスに干渉調整グループ（ＩＣＧ）を適用することと、同じＩＣＧ内のワイヤレスデバイス間のグラフエッジを除去することと、ＳＡＳ接続セット内のワイヤレスデバイスに共通チャネルグループ（ＣＣＧ）を適用することと、同じＣＣＧ内のワイヤレスデバイスをグラフの頂点に統合することとによるところのこと；管理接続セットを少なくとも部分的にグラフ着色することであって、該グラフ着色することは、管理接続セット内の各頂点を色にマッピングすることと、管理接続セット内の各ワイヤレスデバイスを色にマッピングすることとによるところのこと。管理接続セットの一例は、共存マネージャ（ＣｘＭ）接続セットである。
【００２０】
この態様の一実施形態によれば、前記複数の制約要因は、前記ワイヤレスデバイスが市民ブロードバンド無線サービスデバイス（ＣＢＳＤ）かつ前記グラフ着色からの色に割り当てられたチャネル内で動作するいくつかの他のＣＢＳＤのうちであると仮定する色制約要因を含む。この態様の一実施形態によれば、前記複数の制約要因は、前記ワイヤレスデバイスが市民ブロードバンド無線サービスデバイス（ＣＢＳＤ）かつ前記管理接続セットのＣＢＳＤの残りは前記複数のチャネルのうちの同じチャネルで動作することを仮定する最悪状況の制約要因を含む。
【００２１】
本開示の別の態様によれば、市民ブロードバンド無線サービス（ＣＢＲＳ）帯域におけるチャネル割り当てのためのネットワークノードのための方法が提供される。前記ＣＢＲＳ帯域内の複数のチャネルのうちの１つは、ワイヤレスデバイスにマッピングされる。前記ＣＢＲＳ帯域内の複数のチャネルのうちの１つを前記ワイヤレスデバイスにマッピングすることは、チャネル当たりの所定の最大電力およびワイヤレスデバイスの所定の最大送信電力に基づいて、前記ＣＢＲＳ帯域内の複数のチャネルをランク付けすることを含む。
【００２２】
この態様の一実施形態によれば、前記ランク付けに基づいて、前記複数のチャネルのそれぞれの複数の状態のうちの１つが決定され、各状態は、前記ワイヤレスデバイスの所定の最大電力が前記複数のチャネルのそれぞれにおいて使用できるかどうかを示す。この態様の一実施形態によれば、前記複数の状態は、前記ワイヤレスデバイスの送信電力がチャネルの前記最大電力に等しくなることを許容される状態に対応する無制限状態と、前記ワイヤレスデバイスの送信電力がチャネルの前記最大電力より小さい電力に等しくなることを許容される状態に対応する制限状態と、前記ワイヤレスデバイスの送信電力が所定の電力限界を超えることを許容されない状態に対応する無効状態と、を含む。
【００２３】
この態様の一実施形態によれば、ランクは前記ワイヤレスデバイスのためのチャネルの有用性を示す複数の制約要因を定義し、各制約要因は、前記ワイヤレスデバイスの最大送信電力からの電力の低減に対応する値に関連付けられる。
【００２４】
この態様の一実施形態によれば、前記複数の制約要因は、前記ワイヤレスデバイスが市民ブロードバンド無線サービスデバイス（ＣＢＳＤ）かつ干渉保護されたエンティティ間で動作する唯一のＣＢＳＤであると仮定する個別の制約要因を含む。この態様の一実施形態によれば、ＣＢＲＳ帯域内の複数のチャネルのうちの１つをワイヤレスデバイスにマッピングすることは、ワイヤレスデバイスの管理接続セットのセットを決定することをさらに含み、該決定することは、スペクトルアクセスシステム（ＳＡＳ）接続セットに関連する前記ワイヤレスデバイスに干渉調整グループ（ＩＣＧ）を適用することと、同じＩＣＧ内のワイヤレスデバイス間のグラフエッジを除去することと、ＳＡＳ接続セット内の前記ワイヤレスデバイスに共通チャネルグループ（ＣＣＧ）を適用することと、同じＣＣＧ内のワイヤレスデバイスをグラフの頂点に統合することとによる。前記ＣＢＲＳ帯域内の前記複数のチャネルのうちの１つを前記ワイヤレスデバイスにマッピングすることは、前記管理接続セットを少なくとも部分的にグラフ着色することをさらに含み、該グラフ着色することは、前記管理接続セット内の各頂点を色にマッピングすることと、前記管理接続セット内の各ワイヤレスデバイスを色にマッピングすることとによる。
【００２５】
この態様の一実施形態によれば、前記複数の制約要因は、前記ワイヤレスデバイスが市民ブロードバンド無線サービスデバイス（ＣＢＳＤ）かつ前記グラフ着色からの色に割り当てられたチャネル内で動作するいくつかの他のＣＢＳＤのうちであると仮定する色制約要因を含む。この態様の一実施形態によれば、前記複数の制約要因は、前記ワイヤレスデバイスが市民ブロードバンド無線サービスデバイス（ＣＢＳＤ）かつ前記管理接続セットのＣＢＳＤの残りは前記複数のチャネルのうちの同じチャネルで動作することを仮定する最悪状況の制約要因を含む。
【００２６】
本開示の別の態様によれば、市民ブロードバンド無線サービス（ＣＢＲＳ）帯域におけるチャネル割り当てのためのワイヤレスデバイスが提供される。前記ワイヤレスデバイスは、前記ＣＢＲＳ帯域内の複数のチャネルのうちの１つのワイヤレスデバイスへのマッピングを受信するように構成された処理回路を含む。前記ＣＢＲＳ帯域内の複数のチャネルのうちの１つを前記ワイヤレスデバイスにマッピングすることは、チャネル当たりの所定の最大電力およびワイヤレスデバイスの所定の最大送信電力に基づいた、前記ＣＢＲＳ帯域内の複数のチャネルをランク付けすることに基づく。
【００２７】
この態様の一実施形態によれば、前記複数のチャネルの前記１つは、前記ランク付けに基づいた複数の状態の１つにあり、各状態は、前記ワイヤレスデバイスの所定の最大電力が前記複数のチャネルのそれぞれにおいて使用できるかどうかを示す。この態様の一実施形態によれば、前記複数の状態は、前記ワイヤレスデバイスの送信電力がチャネルの前記最大電力に等しくなることを許容される状態に対応する無制限状態と、前記ワイヤレスデバイスの送信電力がチャネルの前記最大電力より小さい電力に等しくなることを許容される状態に対応する制限状態と、前記ワイヤレスデバイスの送信電力が所定の電力限界を超えることを許容されない状態に対応する無効状態と、を含む。
【００２８】
この態様の一実施形態によれば、ランクは前記ワイヤレスデバイスのためのチャネルの有用性を示す複数の制約要因を定義し、各制約要因は、前記ワイヤレスデバイスの最大送信電力からの電力の低減に対応する値に関連付けられる。この態様の一実施形態によれば、前記複数の制約要因は、前記ワイヤレスデバイスが市民ブロードバンド無線サービスデバイス（ＣＢＳＤ）かつ干渉保護されたエンティティ間で動作する唯一のＣＢＳＤであると仮定する個別の制約要因を含む。
【００２９】
この態様の一実施形態によれば、ＣＢＲＳ帯域内の複数のチャネルのうちの１つをワイヤレスデバイスにマッピングすることは、ワイヤレスデバイスの管理接続セットのセットを決定することに基づき、該決定することは、スペクトルアクセスシステム（ＳＡＳ）接続セットに関連する前記ワイヤレスデバイスに干渉調整グループ（ＩＣＧ）を適用することと、同じＩＣＧ内のワイヤレスデバイス間のグラフエッジを除去することと、ＳＡＳ接続セット内の前記ワイヤレスデバイスに共通チャネルグループ（ＣＣＧ）を適用することと、同じＣＣＧ内のワイヤレスデバイスをグラフの頂点に統合することとによる。前記マッピングすることは、前記管理接続セットを少なくとも部分的にグラフ着色することをさらに含み、該グラフ着色することは、前記管理接続セット内の各頂点を色にマッピングすることと、前記管理接続セット内の各ワイヤレスデバイスを色にマッピングすることとによる。この態様の一実施形態によれば、前記複数の制約要因は、前記ワイヤレスデバイスが市民ブロードバンド無線サービスデバイス（ＣＢＳＤ）かつ前記グラフ着色からの色に割り当てられたチャネル内で動作するいくつかの他のＣＢＳＤのうちであると仮定する色制約要因を含む。
【００３０】
この態様の一実施形態によれば、前記複数の制約要因は、前記ワイヤレスデバイスが市民ブロードバンド無線サービスデバイス（ＣＢＳＤ）かつ前記管理接続セットのＣＢＳＤの残りは前記複数のチャネルのうちの同じチャネルで動作することを仮定する最悪状況の制約要因を含む。この態様の別の実施形態によれば、市民ブロードバンド無線サービス（ＣＢＲＳ）帯域におけるチャネル割り当てのためのワイヤレスデバイスのための方法が提供される。前記ＣＢＲＳ帯域内の複数のチャネルのうちの１つのワイヤレスデバイスへのマッピングが受信される。前記ＣＢＲＳ帯域内の複数のチャネルのうちの１つを前記ワイヤレスデバイスにマッピングすることは、チャネル当たりの所定の最大電力およびワイヤレスデバイスの所定の最大送信電力に基づいた、前記ＣＢＲＳ帯域内の複数のチャネルをランク付けすることに基づく。
【００３１】
この態様の一実施形態によれば、前記複数のチャネルの前記１つは、前記ランク付けに基づいた複数の状態の１つにあり、各状態は、前記ワイヤレスデバイスの所定の最大電力が前記複数のチャネルのそれぞれにおいて使用できるかどうかを示す。この態様の一実施形態によれば、前記複数の状態は、前記ワイヤレスデバイスの送信電力がチャネルの前記最大電力に等しくなることを許容される状態に対応する無制限状態と、前記ワイヤレスデバイスの送信電力がチャネルの前記最大電力より小さい電力に等しくなることを許容される状態に対応する制限状態と、前記ワイヤレスデバイスの送信電力が所定の電力限界を超えることを許容されない状態に対応する無効状態と、を含む。
【００３２】
この態様の一実施形態によれば、ランクは前記ワイヤレスデバイスのためのチャネルの有用性を示す複数の制約要因を定義し、各制約要因は、前記ワイヤレスデバイスの最大送信電力からの電力の低減に対応する値に関連付けられる。この態様の一実施形態によれば、前記複数の制約要因は、前記ワイヤレスデバイスが市民ブロードバンド無線サービスデバイス（ＣＢＳＤ）かつ干渉保護されたエンティティ間で動作する唯一のＣＢＳＤであると仮定する個別の制約要因を含む。
【００３３】
この態様の一実施形態によれば、ＣＢＲＳ帯域内の前記複数のチャネルのうちの１つを前記ワイヤレスデバイスにマッピングすることは、ワイヤレスデバイスの管理接続セットのセットを決定することとに基づき、該決定することは、スペクトルアクセスシステム（ＳＡＳ）接続セットに関連する前記ワイヤレスデバイスに干渉調整グループ（ＩＣＧ）を適用することと、同じＩＣＧ内のワイヤレスデバイス間のグラフエッジを除去することと、ＳＡＳ接続セット内の前記ワイヤレスデバイスに共通チャネルグループ（ＣＣＧ）を適用することと、同じＣＣＧ内のワイヤレスデバイスをグラフの頂点に統合することとによる。前記マッピングすることは、前記管理接続セットを少なくとも部分的にグラフ着色することをさらに含み、該グラフ着色することは、前記管理接続セット内の各頂点を色にマッピングすることと、前記管理接続セット内の各ワイヤレスデバイスを色にマッピングすることとによる。この態様の一実施形態によれば、前記複数の制約要因は、前記ワイヤレスデバイスが市民ブロードバンド無線サービスデバイス（ＣＢＳＤ）かつ前記グラフ着色からの色に割り当てられたチャネル内で動作するいくつかの他のＣＢＳＤのうちであると仮定する色制約要因を含む。この態様の一実施形態によれば、前記複数の制約要因は、前記ワイヤレスデバイスが市民ブロードバンド無線サービスデバイス（ＣＢＳＤ）かつ前記管理接続セットのＣＢＳＤの残りは前記複数のチャネルのうちの同じチャネルで動作することを仮定する最悪状況の制約要因を含む。
【００３４】
本開示の別の態様によれば、市民ブロードバンド無線サービス（ＣＢＲＳ）帯域におけるチャネル割り当てのためのネットワークノードが提供される。前記ネットワークノードは、ＣＢＲＳ帯域における複数のチャネルのうちの１つをワイヤレスデバイスにマッピングするように構成されたマッピングモジュールを含み、前記ＣＢＲＳ帯域における複数のチャネルのうちの１つを前記ワイヤレスデバイスにマッピングすることは、チャネル当たりの所定の最大電力と、前記ワイヤレスデバイスの所定の最大送信電力とに基づいて、前記ＣＢＲＳ帯域における複数のチャネルをランク付けすることを含む。
【００３５】
この態様の一実施形態によれば、市民ブロードバンド無線サービス（ＣＢＲＳ）帯域におけるチャネル割り当てのためのワイヤレスデバイスが提供される。前記ワイヤレスデバイスは、前記ＣＢＲＳ帯域内の複数のチャネルのうちの１つの、ワイヤレスデバイスへのマッピングを受信するように構成された受信モジュールを含み、前記ＣＢＲＳ帯域内の複数のチャネルのうちの１つを前記ワイヤレスデバイスにマッピングすることは、チャネル当たりの所定の最大電力およびワイヤレスデバイスの所定の最大送信電力に基づいた、前記ＣＢＲＳ帯域内の複数のチャネルをランク付けすることに基づく。
【図面の簡単な説明】
【００３６】
本実施形態、およびそれに付随する利点および特徴のより完全な理解は、添付の図面と併せて考慮される場合、以下の詳細な説明を参照することによって、より容易に理解されるのであろう:
【図１】図１は、３．５ＧＨｚ市民ブロードバンド無線サービスのためのスペクトル解剖学的構造のブロック図である。
【図２】図２は、ＳＡＳアーキテクチャのブロック図である。
【図３】図３は、例えばマップ上に位置するポリゴンの頂点のセットとして、関連するＣＢＳＤの複合カバレージに基づいて決定されるＰＡＬ保護エリアのブロック図である。
【図４】図４は、報告および命令によるＰＡＬ保護基準のブロック図である。
【図５】図５は、本開示の原理による、市民ブロードバンド無線サービス（CBRS）運用のためのチャネルを評価し、ランク付けするための例示的なシステムのブロック図である。
【図６】図６は、本開示の原理によるチャネル管理コードの例示的なチャネル管理プロセスのフロー図である。
【図７】図７は、本開示の原理による、個別ＣＦについて実行される計算のブロック図である。
【図８】図８は、本開示の原理による、Ｍａｘ ＣＦについて実行される計算のブロック図である。
【図９】図９は、本開示の原理による、チャネルランキング表の例である。
【図１０】図１０は、本開示の原理による、制約要因カラーマトリクスの例である。
【図１１】図１１は、本開示の原理による、例示的なオペレーションコードのオペレーションプロセスのフロー図である。
【図１２】図１２は、本開示の原理による、ネットワークノードの代替実施形態である。
【図１３】図１３は、本開示の原理による、ワイヤレスデバイスの代替実施形態である。
【発明を実施するための形態】
【００３７】
本開示は都合のよいことに、市民ブロードバンド無線サービス（ＣＢＲＳ）帯域における商業的展開の成功を可能にする要因であるチャネル選択／割り当てを提供する。例えば、共有スペクトル配備では、既存のデバイス（既存のエンティティに関連付けられたワイヤレスデバイス）が最高階層を表し、ＣＢＲＳワイヤレスデバイスから干渉保護を受ける階層化されたサービスレベルが存在し得る。言い換えると、既存のエンティティは、既存のエンティティに与えられる干渉保護のためにＣＢＲＳワイヤレスデバイスに電力制限を課す、すなわち、ＣＢＲＳワイヤレスデバイスは電力Ｐｘで送信することが可能であり得るが、このデバイスはこれらの既存の保護のために、より低い電力で送信するように構成され得る。１つまたは複数の実施形態では、本開示の教示が、ＣＢＲＳ帯域を使用する優先アクセスライセンス（ＰＡＬ）および／または一般認可アクセス（ＧＡＡ）ユーザ／ワイヤレスデバイスなどの１つまたは複数の下位層のユーザに適用されて、これらの下位層のワイヤレスデバイスが既存のユーザ／ワイヤレスデバイスと干渉することを低減および／または防止するのを助ける。
【００３８】
本開示は有利にはＣＢＳＤの各チャネルについて１つまたは複数の制約要因を提供し、制約要因は上位層ユーザによって課される（すなわち、既存のユーザ／ワイヤレスデバイスによって課される）保護（たとえば、干渉保護）を満たすために、ＣＢＳＤに適用される電力低減の量を示す。実際の制約要因は、（チャネル選択後に決定可能な）同じチャネルを使用するＣＢＳＤの数に依存するので、実際の制約要因はチャネル選択中に未知のままである。本開示は、チャネルの有用性を評価し、チャネル選択中のチャネルランク付けを支援するために、１つまたは複数の推定された制約要因を有利に提供する。さらに、本開示はＣＢＲＳ ３．５ＧＨｚ帯域のためのより高速なチャネル選択／チャネル割り当て処理を可能にし、チャネルは制約要因に基づいてランク付けされる。
【００３９】
例示的な実施形態を詳細に説明する前に、実施形態は、市民ブロードバンド無線サービス（ＣＢＲＳ）運用のためのチャネルを評価およびランク付けするための方法、ネットワークノード、およびワイヤレスデバイスに関連する構成要素および処理ステップの組合せに主として属することに留意されたい。したがって、構成要素は、本明細書の説明の恩恵を受ける当業者には容易に明らかであろう詳細で本開示を不明瞭にしないように、実施形態の理解に関連する特定の詳細のみを示す図面中の従来の記号によって適宜表されている。
【００４０】
本明細書で使用されるように、「第１の」、「第２の」、「上部の」、および「下部の」などの関係用語は、エンティティまたは要素間の物理的または論理的な関係または順序を必ずしも必要とせず、または暗示することなく、１つのエンティティまたは要素を別のエンティティまたは要素から区別するためにのみ使用され得る。本明細書で使用される用語は特定の実施形態を説明することのみを目的としており、本明細書で説明される概念を限定することを意図していない。本明細書で使用されるように、単数形「ａ」、「ａｎ」および「ｔｈｅ」は文脈が別段の明確な表示をしない限り、複数形も含むことを意図する。さらに、本明細書で使用される場合、用語「備える」、「備えている」、「含む」、および／または「含んでいる」は、述べられた特徴、整数、ステップ、操作、要素、および／または構成要素の存在を特定するが、１つまたは複数の他の特徴、整数、ステップ、操作、要素、構成要素、および／またはそれらのグループの存在または追加を排除しないことを理解されたい。
【００４１】
別段の定義がない限り、本明細書で使用されるすべての用語（技術用語および科学用語を含む）は、本開示が属する技術分野の当業者によって一般に理解されるものと同じ意味を有する。さらに、本明細書で使用される用語は本明細書および関連技術の文脈におけるそれらの意味と一致する意味を有すると解釈されるべきであり、本明細書で明示的にそのように定義されない限り、理想化された、または過度に形式的な意味で解釈されないことが理解されるのであろう。
【００４２】
本明細書で説明される実施形態では、「と通信している」などの結合用語が例えば、物理的接触、誘導、電磁放射、無線信号、赤外線信号、または受光信号によって達成され得る電気通信またはデータ通信を示すために使用され得る。当業者は、複数の構成要素が相互動作することができ、電気通信およびデータ通信を達成するための修正および変形が可能であることを理解するのであろう。
【００４３】
同様の参照符号が同様の要素を示す図面を参照すると、図５には、本開示の原理による市民ブロードバンド無線サービス（ＣＢＲＳ）運用のためのチャネルを評価し、ランク付けするための例示的なシステム１０のブロック図が示されている。システム１０は、本明細書で説明するように、１つまたは複数の通信プロトコルを使用して１つまたは複数の通信ネットワーク、経路、および／またはリンクを介して互いに通信する、１つまたは複数のネットワークノード１２ａ〜１２ｎおよび１つまたは複数のワイヤレスデバイス１４ａ〜１４を含む。本明細書で使用されるように、ネットワークノード１２はネットワークノード１２ａ〜１２ｎのうちの１つまたは複数を指し、ワイヤレスデバイス１４ａ〜１４ｎは、１つまたは複数のワイヤレスデバイス１４を指す。
【００４４】
ネットワークノード１２は、ワイヤレスデバイス１４及びシステム１０内の他の要素／エンティティと通信するための通信インターフェース１６を含む。１つまたは複数の実施形態では、通信インターフェース１６が送信機および／または受信機で置き換えられるか、または送信機および／または受信機を含む。
【００４５】
ネットワークノード１２は処理回路１８を含む。処理回路１８は、プロセッサ２０およびメモリ２２を含む。従来のプロセッサおよびメモリに加えて、処理回路１８は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）を備えることができる。プロセッサ２０は、任意の種類の揮発性および／または不揮発性メモリ、例えばキャッシュおよび／またはバッファメモリおよび／またはＲＡＭ(ランダムアクセスメモリ）および／またはＲＯＭ(読み出し専用メモリ）および／または光学メモリおよび／またはＥＰＲＯＭ(消去可能プログラマブル読み出し専用メモリ）を含むんでよいメモリ２２にアクセスするように構成されてもよい。そのようなメモリ２２はプロセッサ２０によって実行可能なコードおよび／または他のデータ、たとえば、通信に関係するデータ、たとえば、ノードの構成および／またはアドレスデータなどを記憶するように構成され得る。
【００４６】
処理回路１８は、本明細書で説明される方法および／またはプロセスのいずれかを制御するように、および／または、そのような方法、シグナリング、および／またはプロセスを、たとえばネットワークノード１２によって実行させるように構成され得る。プロセッサ２０は、本明細書で説明するネットワークノード１２の機能を実行するための１つまたは複数のプロセッサ２０に対応する。ネットワークノード１２は、データ、プログラムソフトウェアコード、および／または本明細書で説明する他の情報を保存するように構成されたメモリ２２を含む。１つまたは複数の実施形態では、メモリ２２がチャネル管理コード２４を記憶するように構成される。例えば、チャネル管理コード２４は、プロセッサ２０によって実行されると、プロセッサ２０に、図６に関して説明された機能のような本明細書で説明された機能を実行させる命令を含む。さらに、ネットワークノード１２によって実行される機能および／またはプロセスのうちの１つまたは複数は、別のネットワークノード１２および／またはクラウドコンピューティング環境などの他のデバイスによって実行され得る。
【００４７】
１つまたは複数の実施形態では、ネットワークノード１２は、基地局（ＢＳ）、無線基地局、基地トランシーバ局（ＢＴＳ）、基地局コントローラ（ＢＳＣ）、無線ネットワークコントローラ（ＲＮＣ）、進化型ノードＢ(ｅＮＢまたはｅＮｏｄｅＢ）、ノードＢ、ｇＮｏｄｅＢ(ｇＮＢ)、MSR BSなどのマルチスタンダード無線（ＭＳＲ）無線ノード、リレーノード、ドナーノード制御リレー、無線アクセスポイント（ＡＰ）、送信ポイント、送信ノード、リモート無線ユニット（ＲＲＵ）リモート無線ヘッド（ＲＲＨ）、分散アンテナシステム（ＤＡＳ）内のノードなどのいずれかをさらに備えることができる、無線ネットワークに含まれる任意の種類のネットワークノードである。
【００４８】
ワイヤレスデバイス１４は、ネットワークノード１２及びシステム１０内の他の要素／エンティティと通信するための通信インターフェース２６を含む。１つまたは複数の実施形態では、通信インターフェース２６が送信機および／または受信機で置き換えられるか、または送信機および／または受信機を含む。
【００４９】
ワイヤレスデバイス１４は処理回路２８を含む。処理回路２８は、プロセッサ３０およびメモリ３２を含む。従来のプロセッサおよびメモリに加えて、処理回路２８は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）を備えることができる。プロセッサ30は、任意の種類の揮発性および／または不揮発性メモリ、例えばキャッシュおよび／またはバッファメモリおよび／またはＲＡＭ(ランダムアクセスメモリ）および／またはＲＯＭ(読み出し専用メモリ）および／または光学メモリおよび／またはＥＰＲＯＭ（消去可能プログラマブル読み出し専用メモリ）を含むんでよいメモリ３２にアクセスするように構成されてもよい。そのようなメモリ３２はプロセッサ３０によって実行可能なコードおよび／または他のデータ、たとえば、通信に関係するデータ、たとえば、ノードの構成および／またはアドレスデータなどを記憶するように構成され得る。
【００５０】
処理回路２８は、本明細書で説明される方法および／またはプロセスのいずれかを制御するように、および／または、そのような方法、シグナリング、および／またはプロセスを、たとえばワイヤレスデバイス１４によって実行させるように構成され得る。プロセッサ３０は、本明細書で説明するワイヤレスデバイス１４の機能を実行するための１つまたは複数のプロセッサ３０に対応する。ワイヤレスデバイス１４は、データ、プログラムソフトウェアコード、および／または本明細書で説明する他の情報を保存するように構成されたメモリ３２を含む。１つまたは複数の実施形態では、メモリ３２が割当てコード３４を記憶するように構成される。例えば、割当てコード３４は、プロセッサ３０によって実行されると、プロセッサ３０に、図１１に関して説明された機能のような本明細書で説明された機能を実行させる命令を含む。１つまたは複数の実施形態では、ワイヤレスデバイス１４は、無線通信デバイス、ＣＢＳＤ、ワイヤレスデバイスエンドポイント、モバイルエンドポイント、デバイスエンドポイント、センサデバイス、ターゲットデバイス、デバイスツーデバイスワイヤレスデバイス、ユーザ機器（ＵＥ）、マシンタイプワイヤレスデバイス、または、従来技術において知られていた無線信号またはワイヤレス信号を通信可能な他のデバイスのうち、マシンツーマシン通信が可能なワイヤレスデバイス、ワイヤレスデバイスを備えたセンサ、タブレット、モバイル端末、携帯電話、ラップトップ、コンピュータ、電気器具、自動車、スマートフォン、ラップトップ埋め込み型機器（ＬＥＥ）、ラップトップ取り付け型機器（ＬＭＥ）、ＵＳＢドングルおよび客先構内機器（ＣＰＥ）であってよい。
【００５１】
図６は、本開示の原理によるチャネル管理コード２４の例示的なチャネル管理プロセスのフロー図である。処理回路１８は、本明細書で説明されるように、ＣＢＲＳ帯域における複数のチャネルのうちの１つをワイヤレスデバイス１４にマッピングするように構成され、前記ＣＢＲＳ帯域における複数のチャネルのうちの１つを前記ワイヤレスデバイス１４にマッピングすることは、チャネル当たりの所定の最大電力と、前記ワイヤレスデバイス１４の所定の最大送信電力とに基づいて、前記ＣＢＲＳ帯域における複数のチャネルをランク付けすることを含む（ブロックＳ１００）。
【００５２】
１つまたは複数の実施形態では、処理回路１８は、チャネルマッピングに基づいてチャネルユニットの状態を決定するように構成される。１つまたは複数の実施形態では、チャネルマッピングは、本明細書で説明するように、各ワイヤレスデバイス１４のチャネルランキングを決定すること、および／またはワイヤレスデバイス１４をチャネルユニットにマッピングすることを含む。決定されたチャネルユニットの状態が第１の状態である場合、処理回路１８は、ＣＢＲＳ運用のためにワイヤレスデバイスのための第１のチャネルを選択し、第１のチャネルは、少なくとも１つの制限を有する。この選択は、ワイヤレスデバイス１４による実施のためにワイヤレスデバイス１４に通信される。
【００５３】
１つまたは複数の実施形態では第１の状態が制約状態であり、制約状態は有効等方放射電力（ＥＩＲＰ）制限によって制限される。１つまたは複数の実施形態では、チャネルユニットの状態は、無制限、制約、および無効のうちの１つである。１つまたは複数の実施形態では、チャネルマッピングはワイヤレスデバイスのチャネルランキングを決定することを含む。
【００５４】
１つまたは複数の実施形態ではチャネルランキングが制約要因（ＣＦ）に基づいており、制約要因は個別ＣＦ、色ＣＦ、および最悪状況ＣＦのうちの少なくとも１つによって制限される。個別ＣＦは、ワイヤレスデバイスのみを考慮する。色ＣＦは、グラフ色アルゴリズムによって同じ色に割り当てられたワイヤレスデバイスのみを考慮する。本明細書で使用される「グラフ色」という用語は、１つまたは複数の制約に従うグラフ要素にラベルが割り当てられるグラフラベリングを指す。言い換えれば、本明細書で言及される「色」は従来の意味での色、例えば、赤、青など、および眼に特定の感覚をもたらす他の特性に限定されない。 最悪状況ＣＦは、同じチャネルに割り当てられたすべてのワイヤレスデバイスを考慮する。１つまたは複数の実施形態では、チャネルユニットの決定された状態が第２の状態である場合、ＣＢＲＳ運用のためのワイヤレスデバイスのためのチャネルの選択が妨げられる。
【００５５】
１つまたは複数の実施形態では、第２の状態は無効状態である。無効状態は、チャネルがＣＢＲＳ運用のためにワイヤレスデバイスによって使用され得ないことを示す。１つ以上の実施形態では、チャネルユニットの決定された状態が第３の状態である場合、ＣＢＲＳ運用のための第３のチャネルが選択され、ここで、第３のチャネルは有効等方性放射電力（ＥＩＲＰ）制限を有さない。
【００５６】
１つまたは複数の実施形態では、チャネルマッピングが少なくとも１つのマッピングパラメータ、少なくとも１つのＳＡＳパラメータ、および少なくとも１つのＣｘＭパラメータを分析する。少なくとも１つのＳＡＳパラメータは、ＳＡＳ接続セット、干渉調整グループ（ＩＣＧ）、およびＣＢＳＤによって影響を受ける保護されたエンティティのリストのうちの少なくとも１つを含む。少なくとも１つのＣｘＭパラメータは、ＣｘＭ接続セットおよびＣＢＳＤへの色のマッピングのうちの少なくとも１つを含む。
【００５７】
チャネルランキングは、ＣｘＭプライマリチャネルマッピング、すなわちチャネルマッピングの一部として使用される。１つまたは複数の実施形態では、チャネルマッピングは以下の入力を使用することができる。
【００５８】
- ＳＡＳから：
o ＳＡＳ接続セット：SAS_CSx
o 干渉調整グループ（ＩＣＧ）
o 共通チャネルグループ（ＣＣＧ）
- ＣｘＭスペクトル割り当てアルゴリズムから：
o ＣｘＭ接続セット：CxM_CSx,y
o 各CxM_CSx,yを着色するのに必要なＮｒ個の色
o ＣＢＳＤへの色のマッピング：色  −＞  ＣＢＳＤ
- ＳＡＳからの追加情報：
o SAS_CSxのＣＢＳＤによって影響を受ける保護エンティティ（ＰＥ）のリスト
o 保護対象エンティティPEpごとに：
* 保護チャネルユニットｃｈ
* チャネルQp,chごとの干渉閾値
* 保護エンティティに影響を与えるＣＢＳＤのリスト：Np
チャネルマッピングの出力：
- 各ＣＢＳＤのチャネルランキング
- ＣＢＳＤのチャネルユニットへのマッピング：
o ＣＢＳＤ  −＞  ＣＵ
チャネルマッピングステップは以下の通りである:
1. ＣｘＭは、ＳＡＳから受信した接続セットSAS_CSxを処理し、ＣｘＭ接続セットCxM_CSx,yのセットを生成する。
【００５９】
a. ＩＣＧを適用し、同じＩＣＧ内のＣＢＳＤ間のエッジを除去する。
【００６０】
b. ＣＣＧを適用し、同じＣＣＧ内のＣＢＳＤをグラフ頂点に統合する。
2. ＣｘＭは、ＣｘＭ接続セットのグラフの着色を行う。
【００６１】
a. 必要な色の数を決定する。
【００６２】
b. ＣｘＭ接続セット内の各頂点を色にマッピングする。
【００６３】
c. 各ＣＢＳＤを色にマッピングする。
3. 各ＣＢＳＤについて、利用可能なチャネルをランク付けする。
4. 各色にどれだけの帯域幅（ＢＷ）を割り当てることができるかを決定する。
【００６４】
a. 利用可能なチャネルの数は、各ＣＢＳＤについて潜在的に異なる。
5. ＣＢＳＤごとに、そのＣＢＳＤによって使用されることが推奨されるプライマリチャネルを割り当てる;
6. ＣＢＳＤごとに、ＢＷ拡張に利用可能なチャネルがあるかどうかを判定する。
【００６５】
チャネルランキングは、既存の保護要件に関して各チャネルを評価し、チャネルランキングは、チャネルの状態を、非制限、制約、および無効のうちの１つに決定する。
【００６６】
各チャネルユニットの状態を決定するには、次の手順に従う：
- ＣＢＳＤおよびチャネルユニットｃｈごとに、ＣＢＳＤによってチャネル（ＣＵまたはｃｈ）で使用され得るmaxAllowedEIRPcbsd,chは、すべての上位層ワイヤレスデバイスに対する干渉マージン保護要件が与えられた場合に推定される。
【００６７】
- maxEIRPcbsd,chは、ＣａｔＡ／ＣａｔＢ最大電力または登録中に宣言された最大ＥＩＲＰ に基づいている
- 通常、maxAllowedEIRPcbsd,ch = maxEIRPcbsd（すなわち、チャネルユニット当たりの宣言された最大電力は、ＣＢＳＤ当たりの宣言された最大電力と等しい）。
【００６８】
CU_Statuscbsd,chは、次のように定義される：
- 無制限（maxAllowedEIRPcbsd,ch = maxEIRPcbsd,c）、すなわち無制限状態。
【００６９】
- ＣＢＳＤは、より高い階層保護に関する制限なしに、このチャネルにおいて最大ＥＩＲＰを使用することができる。
【００７０】
- 制約（maxAllowedEIRPcbsd,ch ＜ maxEIRPcbsd,ch）、すなわち制約状態。
【００７１】
- ＣＢＳＤ最大ＥＩＲＰは、より高い階層保護のために制限される。
【００７２】
- 制約要因が計算される。
【００７３】
- Ｄｉｓａｂｌｅｄ（無効）、すなわち、無効状態。
【００７４】
- チャネルはＣＢＳＤにより利用できない（例えば、ＣＢＳＤはＰＡＬ保護エリア（ＰＰＡ）内にあり、チャネルはＰＰＡによって使用されるＰＡＬチャネルである）。
【００７５】
制約されたチャネルを決定するために、制約要因が導入される。制約要因（ＣＦ）はｄＢで表される数であり、より高い階層を保護するためにＣＢＳＤの出力電力をどれだけ低減しなければならないかを示す。ＣＢＳＤおよびＣＵ  ｃｈごとに：
CFcbsd,ch = maxEIRPcbsd,ch - maxAllowedEIRPcbsd,ch 
真の（実際の）制約要因はチャネル割当てがすべてのＣＢＳＤについて知られている場合にのみ、適切に計算することができる。チャネル割当て／選択プロセス中に計算することができるのは、推定ＣＦ（複数可）の計算を提供するためなどの制約要因のいくつかの限界である。各ＣＵチャネルおよびCBSD cbsdについて、以下を計算する。
【００７６】
- 個別ＣＦ
- 現在のＣＢＳＤのみを考慮する場合のＣＦ。
【００７７】
- 色ＣＦ
- グラフ着色アルゴリズムによって同じ色に割り当てられたＣＢＳＤのみを考慮する場合のＣＦ。
【００７８】
- 最悪状況ＣＦ
- すべてのＣＢＳＤが同じチャネルｃｈに割り当てられることを考慮する場合のＣＦ。
【００７９】
個別ＣＦ（Ｉ＿ＣＦ）
これが、チャネルｃｈ(Ｎ=１）で動作する唯一のＣＢＳＤであるかのように計算が実行される。本明細書で使用されるエンティティは、ワイヤレスデバイス、システムなどを指す。
【００８０】
ステップ１：チャネルｃｈにおいてアクティブなすべての適用可能な上位層保護エンティティ（ポイント／エリア）に対するCBSD cbsdからの干渉を計算する。
【００８１】
- CBSD cbsdによって影響を受けるチャネルｃｈにおいてアクティブなすべての保護エンティティ（ＰＥ）を決定する。N_PEcbsd,ch を、影響を受けた保護エンティティの数とする。
【００８２】
- PLcbsd,p,chを、チャネルｃｈにおけるCBSD cbsdと保護エンティティｐとの間の経路損失とする。
【００８３】
- Qp,ch をチャネルｃｈにおけるPE pに対する干渉割り当て量（閾値）とする。
【００８４】
- そのときIcbsd,p,ch = maxEIRPcbsd,ch - PLcbsd,p,ch
ステップ２：影響を受けた各PE pについてＣＦを計算する。
【００８５】
Icbsd,p,ch ＜＝ Qp,chの場合、I_CFcbsd,p,ch =０
さもなければ 
I_CFcbsd,p,ch = Icbsd,p,ch - Qp,ch
ステップ３：CBSD cbsd及びチャネルｃｈについて全体ＣＦを計算する。
【００８６】
I_CFcbsd,ch = max(I_CFcbsd,p,ch)、ここでｐは[1, N_PEcbsd,ch]の中である。
【００８７】
図７は、本開示の原理による、個別ＣＦについて実行される計算のブロック図である。図７に示すように、１つのＣＢＳＤのみがチャネルｃｈで動作していると仮定する。
【００８８】
色CF (C_CF)
チャネルｃｈで動作するＣＢＳＤのみが色ｃに割り当てられたものであるかのように行われた色ＣＦ計算。
【００８９】
ステップ１：各PE pについて、色ｃに割り当てられた１つ以上のＣＢＳＤによって影響を受ける。 
- 色ｃに割り当てられ、PE pに影響を与えるＣＢＳＤを決定する：Np,c 
- Np,c内のCBSD cbsdごとに：
CBSD cbsdからチャネルｃｈでアクティブなPE pへの干渉を計算する：
Icbsd,p,ch = maxEIRPcbsd,ch - PLcbsd,p,ch
Icbsd,p,ch ＜＝ (Qp,ch / Np,c) の場合、C_CFcbsd,p,ch,c = 0、
さもなければ 
C_CFcbsd,p,ch,c = Icbsd,p,ch - (Qp,ch / Np,c)
ステップ２：CBSD cbsdｍ、チャネルｃｈ、色ｃについて色ＣＦを計算する。
【００９０】
C_CFcbsd,ch,c = max(C_CFcbsd,p,ch,c)、ここでｐは影響を受けたPEのリストの中である。
【００９１】
ステップ３：チャネルｃｈおよび色ｃについて色ＣＦ全体を計算する。
【００９２】
C_CFch,c = max(C_CFcbsd,p,ch,c)、ここでｃｂｓｄは色ｃに割り当てられたＣＢＳＤのリストの中である。
【００９３】
最悪状況／最大ＣＦ（Ｍ＿ＣＦ）
最悪状況ＣＦ計算は、全てのＣＢＳＤがチャネルｃｈで動作していると仮定して実行される。
ステップ１：CBSD cbsdによって影響を受けるチャネルｃｈにおいてアクティブなすべての保護エンティティを決定する。N_PEcbsd,ch を、影響を受けたＰＥの数とする。
ステップ２：N_PEcbsd,ch内の各PE pについて：
- PE pに影響を及ぼす全てのＣＢＳＤを決定する。Np 
- CBSD cbsdからチャネルｃｈにおいてアクティブなPE pに向けられた干渉Icbsd,p,ch = maxEIRPcbsd,ch - PLcbsd,p,chを計算する。 
- Icbsd,p,ch ＜＝ (Qp,ch / Np) の場合、M_CFcbsd,p,ch,c = 0、
さもなければ 
M_CFcbsd,p,ch,c = Icbsd,p,ch - (Qp,ch / Np,c)
ステップ３：CBSD cbsd及びチャネルｃｈについて最大ＣＦを計算する。
【００９４】
- M_CFcbsd,ch = max(M_CFcbsd,p,ch)、ここでｐは[1, N_PEcbsd,ch]の中である。
【００９５】
図８は、本開示の原理による、最悪状況Ｍａｘ ＣＦについて実行される計算のブロック図である。図示されるように、全てのＣＢＳＤ（この例では合計５、N1＝５）はチャネルｃｈで動作していると仮定される。
【００９６】
無効チャネル
１つまたは複数の実施形態では、ＣＢＲＳは、隣接チャネル漏洩比（ＡＣＬＲ）要件すなわち−１３ｄＢ／ＭＨｚの限界を有してよい。これは−３ｄＢｍ／１０ＭＨｚに相当する。１つまたは複数の実施形態では、ＣＢＲＳが−１３ｄＢの干渉限界など、隣接チャネルへの干渉限界を有してよい。ＣＢＳＤが−３ｄＢｍ／１０ＭＨｚのような所定の値よりも低い出力ＥＩＲＰで動作できない場合、チャネルは無効化されたとみなされるべきである:
maxAllowedEIRPcbsd,ch ＜＝ -3 dBm
ＣＢＳＤ ｃｂｓｄについて、チャネルユニットｃｈは、以下の場合、無効と見なされる：
maxEIRPcbsd,ch - I_CFcbsd,ch＜＝ -3 dBm
これは、一CBSD cbsdについて、個別ＣＦが以下より大きい場合、チャネルユニットｃｈは無効化されたと見なされることと等価である：
- Cat A：I_CFcbsd,ch ＞＝ 33 dB
- Cat B：I_CFcbsd,ch ＞＝ 50 dB
チャネルランキング
チャネルランキングに関する考慮事項：
- I_CFcbsd,ch ＜＝ C_CFcbsd,ch ＜＝ M_CFcbsd,ch。
- M_CFcbsd,ch = 0の場合、チャネルｃｈはCBSD cbsdについて無制限としてマークされる。
【００９７】
- maxEIRPcbsd,ch - I_CFcbsd,ch＜＝ -3 dBmの場合、チャネルは無効としてマークされる。
【００９８】
- 可能であれば、無制限チャネルをＣＢＳＤに割り当てるのが望ましい。
【００９９】
図９は、本開示の原理による、チャネルランキング表の例である。表中の値は、ＣＢＳＤに特定のチャネルが割り当てられた場合にＣＢＳＤ上で実施されるべきｄＢ単位の電力削減量を示す。図示のように、異なるＣＦは、同じチャネルに対して同じ値または異なる値を提供することができる。
【０１００】
色へのチャネル割り当てに関する考慮事項：
- 色ｃに割り当てられた任意のＣＢＳＤについて、CU_Statuscbsd,ch = "無効"であれば、C_CFc,chは無効（Ｄ）とマークされる。
【０１０１】
- 可能であれば、以下の場合にはチャネルユニットｃｈを色ｃに割り当てる：
o C_CFch,c = 0、すなわち、チャネルは、ＣＢＳＤ電力に関して無制限と考えられる。
【０１０２】
- さもなければ、チャネルは、最小の制約要因（すなわち、最小の電力低減）を有する色に割り当てられるべきである。
【０１０３】
- CU_Statuscbsd,ch = "無効"を有するＣＢＳＤが色のグループから除去される場合、必要に応じて色ｃはチャネルユニットｃｈに対して再有効化できる。
【０１０４】
o 除去されたＣＢＳＤの処理は、本開示では特定されない。
【０１０５】
- 色へのチャネル割り当てのための最適化基準は：
o すべての（ｃ，ｃｈ）のペアについて、Min(Σ(C_CFc,ch))。
【０１０６】
図１０は、本開示の原理による、制約要因カラーマトリクスの例である。特に、図１０は、グラフ着色の後に４つの色が使用されることを仮定している。１つまたは複数の実施形態ではチャネル選択のために図１０に示すテーブルを使用する場合、処理回路１８は最小値を有するチャネルを割り当てる。０，５，６，７等の図１０に示した値は、ＣＢＳＤに特定のチャネルが割り当てられた場合にＣＢＳＤ上で実施されるべきｄＢ単位の電力削減量を示す。例えば、ＣＢＳＤがチャネル３／カラー２を割り当てられる場合、ＣＢＳＤはその電力を３５ｄＢ低減しなければならないが、チャネル４／カラー２に同じＣＢＳＤを割り当てると、ＣＢＳＤには電力低減が課されないことになる。さらに、「Ｄ」は、「Ｄ」として示されるチャネル／色の組み合わせにＣＢＳＤが割り当てられないように無効化されるチャネルを示す。１つまたは複数の実施形態では、ＣＢＳＤには、無制限チャネル（「０」ｄＢ）などの最小量の電力削減を必要とするチャネルが割り当てられる。
【０１０７】
確率制約要因（Ｐ＿ＣＦ）
特定のチャネル上のＣＢＳＤに対する制約要因の限界が分かると（すなわち、下限がＩ＿ＣＦによって与えられ、上限がＭ＿ＣＦによって与えられると）、確率的制約要因を計算することができる。Ｐ＿ＣＦは、ＣＦが確率変数として扱われるＣＦの集合に対する累積分布関数（ｃｄｆ）の百分位数ｘに関する確率的信頼度を含む関数である。Ｐ＿ＣＦは、あるチャネルｃｈを使用しているＣＢＳＤの数に依存する。言い換えれば、Ｐ＿ＣＦは、定義された信頼区間内にＣＦ値がある確率を示す。
【０１０８】
図１１は、本開示の原理による割り当てコード３４の例示的なプロセスのフロー図である。処理回路２８は、本明細書で説明されるように、ＣＢＲＳ帯域における複数のチャネルのうちの１つのワイヤレスデバイス１４へのマッピングを受信するように構成され、前記ＣＢＲＳ帯域における複数のチャネルのうちの１つを前記ワイヤレスデバイス１４にマッピングすることは、チャネル当たりの所定の最大電力と前記ワイヤレスデバイス１４の所定の最大送信電力とに基づいている、前記ＣＢＲＳ帯域における複数のチャネルをランク付けすることに基づく（ブロックＳ１０２）。１つまたは複数の実施形態では、処理回路２８がＣＢＲＳ動作のための選択されたチャネルおよび関連する制約要因の指示を受信するように構成される。処理回路２８は、指示された制約要因内の送信電力を有する選択されたチャネルを使用して動作する。例えば、通信インターフェース２６の送信電力および／またはワイヤレスデバイス１４の送信は、指示された制約要因内にある。言い換えれば、ネットワークノード１２は、決定されたチャネル／構成を、ワイヤレスデバイス１４での実装のためにワイヤレスデバイス１４に通信する。
【０１０９】
図１２は、本開示の原理による、ネットワークノードの代替実施形態である。ネットワークノード１２は、ブロックＳ１００に関して上述したような決定を実行するための管理モジュール３６を含む。図１３は、本開示の原理によるワイヤレスデバイス１４の代替実施形態である。ワイヤレスデバイス１４は、ブロックＳ１０２に関して上述した受信機能を実行するための受信モジュール４０を含む。
【０１１０】
いくつかの実施形態
本開示の一実施形態によれば、市民ブロードバンド無線サービス（ＣＢＲＳ）帯域におけるチャネル割り当てのためのネットワークノード１２であって、前記ネットワークノード１２は、ＣＢＲＳ帯域における複数のチャネルのうちの１つをワイヤレスデバイス１４にマッピングするように構成された処理回路１８を備え、前記ＣＢＲＳ帯域における複数のチャネルのうちの１つを前記ワイヤレスデバイス１４にマッピングすることは、チャネル当たりの所定の最大電力と、前記ワイヤレスデバイス１４の所定の最大送信電力とに基づいて、前記ＣＢＲＳ帯域における複数のチャネルをランク付けすることを含む。
【０１１１】
この態様の一実施形態によれば、前記処理回路１８は、前記ランク付けに基づいて、前記複数のチャネルのそれぞれの複数の状態のうちの１つを決定するようにさらに構成され、各状態は、前記ワイヤレスデバイス１４の所定の最大電力が前記複数のチャネルのそれぞれにおいて使用できるかどうかを示す。この態様の一実施形態によれば、前記複数の状態は、前記ワイヤレスデバイス１４の送信電力がチャネルの前記最大電力に等しくなることを許容される状態に対応する無制限状態と、前記ワイヤレスデバイス１４の送信電力がチャネルの前記最大電力より小さい電力に等しくなることを許容される状態に対応する制限状態と、前記ワイヤレスデバイス１４の送信電力が所定の電力限界を超えることを許容されない状態に対応する無効状態と、を含む。
【０１１２】
この態様の一実施形態によれば、ランクは前記ワイヤレスデバイス１４のためのチャネルの有用性を示す複数の制約要因を定義し、各制約要因は、前記ワイヤレスデバイス１４の最大送信電力からの電力の低減に対応する値に関連付けられる。この態様の一実施形態によれば、前記複数の制約要因は、前記ワイヤレスデバイス１４が市民ブロードバンド無線サービスデバイス（ＣＢＳＤ）かつ干渉保護されたエンティティ間で動作する唯一のＣＢＳＤであると仮定する個別の制約要因を含む。この態様の一実施形態によれば、ＣＢＲＳ帯域内の前記複数のチャネルのうちの１つを前記ワイヤレスデバイス１４にマッピングすることは、前記ワイヤレスデバイス１４の管理接続セットのセットを決定することであって、該決定することは、前記スペクトルアクセスシステム（ＳＡＳ）接続セットに関連付けられたワイヤレスデバイス１４に干渉調整グループ（ＩＣＧ）を適用することと、同じＩＣＧ内のワイヤレスデバイス１４間のグラフエッジを除去することと、ＳＡＳ接続セット内のワイヤレスデバイス１４に共通チャネルグループ（ＣＣＧ）を適用することと、同じＣＣＧ内のワイヤレスデバイス１４をグラフの頂点に統合することとによるところのことと、管理接続セットを少なくとも部分的にグラフ着色することであって、該グラフ着色することは、管理接続セット内の各頂点を色にマッピングすることと、管理接続セット内の各ワイヤレスデバイス１４を色にマッピングすることとによるところのこととをさらに含む。
【０１１３】
この態様の一実施形態によれば、前記複数の制約要因は、前記ワイヤレスデバイス１４が市民ブロードバンド無線サービスデバイス（ＣＢＳＤ）かつ前記グラフ着色からの色に割り当てられたチャネル内で動作するいくつかの他のＣＢＳＤのうちであると仮定する色制約要因を含む。この態様の一実施形態によれば、前記複数の制約要因は、前記ワイヤレスデバイス１４が市民ブロードバンド無線サービスデバイス（ＣＢＳＤ）かつ前記管理接続セットのＣＢＳＤの残りは前記複数のチャネルのうちの同じチャネルで動作することを仮定する最悪状況の制約要因を含む。
【０１１４】
本開示の別の態様によれば、市民ブロードバンド無線サービス（ＣＢＲＳ）帯域におけるチャネル割り当てのためのネットワークノード１２のための方法が提供される。前記ＣＢＲＳ帯域内の複数のチャネルのうちの１つは、ワイヤレスデバイス１４にマッピングされる。前記ＣＢＲＳ帯域内の複数のチャネルのうちの１つを前記ワイヤレスデバイス１４にマッピングすることは、チャネル当たりの所定の最大電力およびワイヤレスデバイス１４の所定の最大送信電力に基づいて、前記ＣＢＲＳ帯域内の複数のチャネルをランク付けすることを含む。
【０１１５】
この態様の一実施形態によれば、前記ランク付けに基づいて、前記複数のチャネルのそれぞれの複数の状態のうちの１つが決定され、各状態は、前記ワイヤレスデバイス１４の所定の最大電力が前記複数のチャネルのそれぞれにおいて使用できるかどうかを示す。この態様の一実施形態によれば、前記複数の状態は、前記ワイヤレスデバイス１４の送信電力がチャネルの前記最大電力に等しくなることを許容される状態に対応する無制限状態と、前記ワイヤレスデバイス１４の送信電力がチャネルの前記最大電力より小さい電力に等しくなることを許容される状態に対応する制限状態と、前記ワイヤレスデバイス１４の送信電力が所定の電力限界を超えることを許容されない状態に対応する無効状態と、を含む。
【０１１６】
この態様の一実施形態によれば、ランクは前記ワイヤレスデバイス１４のためのチャネルの有用性を示す複数の制約要因を定義し、各制約要因は、前記ワイヤレスデバイス１４の最大送信電力からの電力の低減に対応する値に関連付けられる。
【０１１７】
この態様の一実施形態によれば、前記複数の制約要因は、前記ワイヤレスデバイス１４が市民ブロードバンド無線サービスデバイス（ＣＢＳＤ）かつ干渉保護されたエンティティ間で動作する唯一のＣＢＳＤであると仮定する個別の制約要因を含む。この態様の一実施形態によれば、ＣＢＲＳ帯域内の複数のチャネルのうちの１つをワイヤレスデバイス１４にマッピングすることは、ワイヤレスデバイス１４の管理接続セットのセットを決定することをさらに含み、該決定することは、スペクトルアクセスシステム（ＳＡＳ）接続セットに関連する前記ワイヤレスデバイス１４に干渉調整グループ（ＩＣＧ）を適用することと、同じＩＣＧ内のワイヤレスデバイス１４間のグラフエッジを除去することと、ＳＡＳ接続セット内の前記ワイヤレスデバイスに共通チャネルグループ（ＣＣＧ）を適用することと、同じＣＣＧ内のワイヤレスデバイス１４をグラフの頂点に統合することと、による。前記ＣＢＲＳ帯域内の前記複数のチャネルのうちの１つを前記ワイヤレスデバイス１４にマッピングすることは、前記管理接続セットを少なくとも部分的にグラフ着色することをさらに含み、該グラフ着色することは、前記管理接続セット内の各頂点を色にマッピングすることと、前記管理接続セット内の各ワイヤレスデバイス１４を色にマッピングすることと、による。
【０１１８】
この態様の一実施形態によれば、前記複数の制約要因は、前記ワイヤレスデバイス１４が市民ブロードバンド無線サービスデバイス（ＣＢＳＤ）かつ前記グラフ着色からの色に割り当てられたチャネル内で動作するいくつかの他のＣＢＳＤのうちであると仮定する色制約要因を含む。この態様の一実施形態によれば、前記複数の制約要因は、前記ワイヤレスデバイス１４が市民ブロードバンド無線サービスデバイス（ＣＢＳＤ）かつ前記管理接続セットのＣＢＳＤの残りは前記複数のチャネルのうちの同じチャネルで動作することを仮定する最悪状況の制約要因を含む。
【０１１９】
本開示の別の態様によれば、市民ブロードバンド無線サービス（ＣＢＲＳ）帯域におけるチャネル割り当てのためのワイヤレスデバイス１４が提供される。前記ワイヤレスデバイス１４は、前記ＣＢＲＳ帯域内の複数のチャネルのうちの１つのワイヤレスデバイス１４へのマッピングを受信するように構成された処理回路を含む。前記ＣＢＲＳ帯域内の複数のチャネルのうちの１つを前記ワイヤレスデバイス１４にマッピングすることは、チャネル当たりの所定の最大電力およびワイヤレスデバイス１４の所定の最大送信電力に基づいた、前記ＣＢＲＳ帯域内の複数のチャネルをランク付けすることに基づく。
【０１２０】
この態様の一実施形態によれば、前記複数のチャネルの前記１つは、前記ランク付けに基づいた複数の状態の１つにあり、各状態は、前記ワイヤレスデバイス１４の所定の最大電力が前記複数のチャネルのそれぞれにおいて使用できるかどうかを示している。この態様の一実施形態によれば、前記複数の状態は、前記ワイヤレスデバイス１４の送信電力がチャネルの前記最大電力に等しくなることを許容される状態に対応する無制限状態と、前記ワイヤレスデバイス１４の送信電力がチャネルの前記最大電力より小さい電力に等しくなることを許容される状態に対応する制限状態と、前記ワイヤレスデバイス１４の送信電力が所定の電力限界を超えることを許容されない状態に対応する無効状態と、を含む。
【０１２１】
この態様の一実施形態によれば、ランクは前記ワイヤレスデバイス１４のためのチャネルの有用性を示す複数の制約要因を定義し、各制約要因は、前記ワイヤレスデバイス１４の最大送信電力からの電力の低減に対応する値に関連付けられる。この態様の一実施形態によれば、前記複数の制約要因は、前記ワイヤレスデバイスが市民ブロードバンド無線サービスデバイス（ＣＢＳＤ）かつ干渉保護されたエンティティ間で動作する唯一のＣＢＳＤであると仮定する個別の制約要因を含む。
【０１２２】
この態様の一実施形態によれば、ＣＢＲＳ帯域内の複数のチャネルのうちの１つをワイヤレスデバイス１４にマッピングすることは、ワイヤレスデバイス１４の管理接続セットのセットを決定することに基づき、該決定することは、スペクトルアクセスシステム（ＳＡＳ）接続セットに関連する前記ワイヤレスデバイス１４に干渉調整グループ（ＩＣＧ）を適用することと、同じＩＣＧ内のワイヤレスデバイス１４間のグラフエッジを除去することと、ＳＡＳ接続セット内の前記ワイヤレスデバイス１４に共通チャネルグループ（ＣＣＧ）を適用することと、同じＣＣＧ内のワイヤレスデバイス１４をグラフの頂点に統合することと、による。前記マッピングすることは、前記管理接続セットを少なくとも部分的にグラフ着色することをさらに含み、該グラフ着色することは、前記管理接続セット内の各頂点を色にマッピングすることと、前記管理接続セット内の各ワイヤレスデバイス１４を色にマッピングすることとによる。この態様の一実施形態によれば、前記複数の制約要因は、前記ワイヤレスデバイス１４が市民ブロードバンド無線サービスデバイス（ＣＢＳＤ）かつ前記グラフ着色からの色に割り当てられたチャネル内で動作するいくつかの他のＣＢＳＤのうちであると仮定する色制約要因を含む。
【０１２３】
この態様の一実施形態によれば、前記複数の制約要因は、前記ワイヤレスデバイス１４が市民ブロードバンド無線サービスデバイス（ＣＢＳＤ）かつ前記管理接続セットのＣＢＳＤの残りは前記複数のチャネルのうちの同じチャネルで動作することを仮定する最悪状況の制約要因を含む。この態様の別の実施形態によれば、市民ブロードバンド無線サービス（ＣＢＲＳ）帯域におけるチャネル割り当てのためのワイヤレスデバイス１４のための方法が提供される。前記ＣＢＲＳ帯域内の複数のチャネルのうちの１つのワイヤレスデバイス１４へのマッピングが受信される。前記ＣＢＲＳ帯域内の複数のチャネルのうちの１つを前記ワイヤレスデバイス１４にマッピングすることは、チャネル当たりの所定の最大電力およびワイヤレスデバイス１４の所定の最大送信電力に基づいた、前記ＣＢＲＳ帯域内の複数のチャネルのランク付けに基づく。
【０１２４】
この態様の一実施形態によれば、前記複数のチャネルの前記１つは、前記ランク付けに基づいた複数の状態の１つにあり、各状態は、前記ワイヤレスデバイス１４の所定の最大電力が前記複数のチャネルのそれぞれにおいて使用できるかどうかを示す。この態様の一実施形態によれば、前記複数の状態は、前記ワイヤレスデバイス１４の送信電力がチャネルの前記最大電力に等しくなることを許容される状態に対応する無制限状態と、前記ワイヤレスデバイス１４の送信電力がチャネルの前記最大電力より小さい電力に等しくなることを許容される状態に対応する制限状態と、前記ワイヤレスデバイス１４の送信電力が所定の電力限界を超えることを許容されない状態に対応する無効状態と、を含む。
【０１２５】
この態様の一実施形態によれば、ランクは前記ワイヤレスデバイス１４のためのチャネルの有用性を示す複数の制約要因を定義し、各制約要因は、前記ワイヤレスデバイス１４の最大送信電力からの電力の低減に対応する値に関連付けられる。この態様の一実施形態によれば、前記複数の制約要因は、前記ワイヤレスデバイス１４が市民ブロードバンド無線サービスデバイス（ＣＢＳＤ）かつ干渉保護されたエンティティ間で動作する唯一のＣＢＳＤであると仮定する個別制約要因を含む。
【０１２６】
この態様の一実施形態によれば、ＣＢＲＳ帯域内の前記複数のチャネルのうちの１つを前記ワイヤレスデバイス１４にマッピングすることは、ワイヤレスデバイス１４の管理接続セットのセットを決定することに基づき、該決定することは、スペクトルアクセスシステム（ＳＡＳ）接続セットに関連する前記ワイヤレスデバイス１４に干渉調整グループ（ＩＣＧ）を適用することと、同じＩＣＧ内のワイヤレスデバイス１４間のグラフエッジを除去することと、ＳＡＳ接続セット内の前記ワイヤレスデバイス１４に共通チャネルグループ（ＣＣＧ）を適用することと、同じＣＣＧ内のワイヤレスデバイス１４をグラフの頂点に統合することとによる。前記マッピングすることは、前記管理接続セットを少なくとも部分的にグラフ着色することをさらに含み、該グラフ着色することは、前記管理接続セット内の各頂点を色にマッピングすることと、前記管理接続セット内の各ワイヤレスデバイス１４を色にマッピングすることとによる。この態様の一実施形態によれば、前記複数の制約要因は、前記ワイヤレスデバイス１４が市民ブロードバンド無線サービスデバイス（ＣＢＳＤ）かつ前記グラフ着色からの色に割り当てられたチャネル内で動作するいくつかの他のＣＢＳＤのうちであると仮定する色制約要因を含む。この態様の一実施形態によれば、前記複数の制約要因は、前記ワイヤレスデバイス１４が市民ブロードバンド無線サービスデバイス（ＣＢＳＤ）かつ前記管理接続セットのＣＢＳＤの残りは前記複数のチャネルのうちの同じチャネルで動作することを仮定する最悪状況制約要因を含む。
【０１２７】
本開示の別の態様によれば、市民ブロードバンド無線サービス（ＣＢＲＳ）帯域におけるチャネル割り当てのためのネットワークノード１２が提供される。前記ネットワークノード１２は、ＣＢＲＳ帯域における複数のチャネルのうちの１つをワイヤレスデバイス１４にマッピングするように構成されたマッピングモジュールを含み、前記ＣＢＲＳ帯域における複数のチャネルのうちの１つを前記ワイヤレスデバイス１４にマッピングすることは、チャネル当たりの所定の最大電力と、前記ワイヤレスデバイス１４の所定の最大送信電力とに基づいて、前記ＣＢＲＳ帯域における複数のチャネルをランク付けすることを含む。
【０１２８】
この態様の一実施形態によれば、市民ブロードバンド無線サービス（ＣＢＲＳ）帯域におけるチャネル割り当てのためのワイヤレスデバイス１４が提供される。前記ワイヤレスデバイス１４は、前記ＣＢＲＳ帯域内の複数のチャネルのうちの１つの、ワイヤレスデバイス１４へのマッピングを受信するように構成された受信モジュールを含み、前記ＣＢＲＳ帯域内の複数のチャネルのうちの１つを前記ワイヤレスデバイス１４にマッピングすることは、チャネル当たりの所定の最大電力およびワイヤレスデバイス１４の所定の最大送信電力に基づいた、前記ＣＢＲＳ帯域内の複数のチャネルをランク付けすることに基づく。
【０１２９】
そのため、本開示は、ＣＢＳＤ運用のためのチャネルの選択を支援するために、ＣＢＳＤの各チャネルのための制約要因を導入する。制約要因は、既存の保護によって課される電力削減量を示す。実際の制約要因は同じチャネルを使用するＣＢＳＤの数に依存し、チャネル選択中には未知であリ得る。実際のチャネル制約要因の代わりとして、１または複数の他の制約要因が、チャネルの有用性を測定するために定義される。
【０１３０】
略語        説明
ＡＳＡ      認可された共有アクセス
ＣＢＲＳ    市民ブロードバンド無線サービス
ＣＢＳＤ    市民ブロードバンド無線サービスデバイス 
ＣＣＧ      共通チャネルグループ：同じＩＣＧの一部であり、共通一次チャネル割当てを必要とするＣＢＳＤのグループ。共通一次チャネル割当ては、重複するカバレッジを有するＣＢＳＤに対してのみＣｘＭによって満たされる。
【０１３１】
ＣＦ        制約要因
Ｉ＿ＣＦ    個別制約要因
Ｃ＿ＣＦ    色制約要因
Ｍ＿ＣＦ    最大制約要因
Ｐ＿ＣＦ    確率制約要因
接続セット  ＳＡＳまたはＣｘＭで作成されたグラフの接続されたコンポーネントに属するＣＢＳＤのセット
ＣｘＧ      共存グループ：共通の干渉管理ポリシーに従ってグループ内で自身の干渉を調整するＣＢＳＤのグループ
ＣｘＭ      共存マネージャ：共通干渉管理ポリシーに従って、ＳＡＳと協調してＣｘＧ内のＧＡＡユーザ間の共存を管理する責任を負う論理エンティティ
ＥＳＣ      環境検知能力
ＧＡＡ      一般認可アクセス
ＩＣＧ      干渉調整グループ
ＬＳＡ      ライセンスされた共有アクセス
ＰＡＬ      優先アクセスライセンス
ＰＥ        保護エンティティ
ＰＬ        経路損失
ＰＰＡ      ＰＡＬ保護エリア
ＲＡＴ      無線アクセス技術
ＳＡＳ：    スペクトルアクセスシステム
当業者であれば、本明細書に記載された実施形態は、本明細書に特に示され、記載されたものに限定されないことを理解するのであろう。加えて、上記に反対の言及がなされない限り、添付の図面の全てが縮尺通りではないことに留意されたい。上記の教示に照らして、様々な修正および変形が可能である。
【０１３２】
当業者によって理解されるように、本明細書で説明される概念は、方法、データ処理システム、および／またはコンピュータプログラム製品として具現化され得る。したがって、本明細書で説明される概念は全体的にハードウェアの実施形態、全体的にソフトウェアの実施形態、または本明細書で全体的に「回路」または「モジュール」と呼ばれるソフトウェアとハードウェアの態様を組み合わせた実施形態の形をとることができる。さらに、本開示は、コンピュータによって実行することができる、媒体内に具現化されたコンピュータプログラムコードを有する、有形のコンピュータ使用可能記憶媒体上のコンピュータプログラム製品の形をとることができる。ハードディスク、ＣＤ−ＲＯＭ、電子記憶装置、光記憶装置、または磁気記憶装置を含む、任意の適切な有形のコンピュータ可読媒体を利用することができる。
【０１３３】
いくつかの実施形態は、方法、システム、およびコンピュータプログラム製品のフローチャート図および／またはブロック図を参照して本明細書で説明される。フローチャート図および／またはブロック図の各ブロック、ならびにフローチャート図および／またはブロック図のブロックの組合せは、コンピュータプログラム命令によって実施できることを理解されたい。これらのコンピュータプログラム命令は、汎用コンピュータ、専用コンピュータ、または他のプログラマブルデータ処理装置のプロセッサに提供されて、コンピュータまたは他のプログラマブルデータ処理装置のプロセッサを介して実行される命令が、フローチャートおよび／またはブロック図の１つまたは複数のブロックで特定された機能／動作を実施するための手段を作成するように、マシンを生成することができる。
【０１３４】
これらのコンピュータプログラム命令はまた、コンピュータ可読メモリまたは記憶媒体に記憶されてもよく、コンピュータ可読メモリまたは記憶媒体は、コンピュータまたは他のプログラマブルデータ処理デバイスに特定の様式で機能するように指示することができ、その結果、コンピュータ可読メモリに記憶された命令は、フローチャートおよび／またはブロック図の１つまたは複数のブロックで特定された機能／動作を実行する命令手段を含む製品を生成する。
【０１３５】
コンピュータプログラム命令はまた、コンピュータまたは他のプログラマブルデータ処理装置にロードされて、コンピュータまたは他のプログラマブル装置上で実行される命令がフローチャートおよび／またはブロック図の１つまたは複数のブロックで特定された機能／動作を実行するためのステップを提供するように、コンピュータまたは他のプログラマブル装置上で一連の動作ステップを実行させて、コンピュータ実装プロセスを生成することができる。
【０１３６】
ブロックに記載された機能／動作は、動作図に記載された順序とは異なる順序で行われてもよいことを理解されたい。例えば、連続して示される２つのブロックは実際には実質的に同時に実行されてもよく、またはブロックが含まれる機能／動作に応じて、時には逆の順序で実行されてもよい。図のいくつかは通信の主方向を示すために、通信経路上に矢印を含むが、通信は描かれた矢印と反対の方向に生じ得ることが理解されるべきである。
【０１３７】
本明細書で説明する概念の操作を実行するためのコンピュータプログラムコードは、Ｊａｖａ（登録商標）またはＣ＋＋などのオブジェクト指向プログラミング言語で書くことができる。しかし、本開示の動作を実行するためのコンピュータプログラムコードは、「Ｃ」プログラミング言語などの従来の手続き型プログラミング言語で書くこともできる。プログラムコードは、完全にユーザのコンピュータ上で、部分的にユーザのコンピュータ上で、スタンドアロンソフトウェアパッケージとして、部分的にユーザのコンピュータ上でかつ部分的にリモートコンピュータ上で、または完全にリモートコンピュータ上で実行することができる。後者のシナリオでは、リモートコンピュータがローカルエリアネットワーク（ＬＡＮ）またはワイドエリアネットワーク（ＷＡＮ）を介してユーザのコンピュータに接続することができ、または外部コンピュータに接続することができる（例えば、インターネットサービスプロバイダを使用するインターネットを介して）。
【０１３８】
多くの異なる実施形態が、上記の説明および図面に関連して本明細書に開示されている。これらの実施形態のあらゆる組み合わせおよびサブコンビネーションを文字通りに説明し、例示することは、過度に繰り返され、混乱させることが理解されるのであろう。したがって、すべての実施形態は任意の方法および／または組み合わせで組み合わせることができ、図面を含む本明細書は、本明細書で説明される実施形態のすべての組み合わせおよびサブコンビネーション、ならびにそれらを作製および使用する方法およびプロセスの完全な書面による説明を構成すると解釈されるべきであり、そのような任意の組み合わせまたはサブコンビネーションに対する特許請求の範囲をサポートするものとする。
【０１３９】
当業者であれば、本明細書に記載された実施形態は、本明細書に特に示され、記載されたものに限定されないことを理解するのであろう。加えて、上記に反対の言及がなされない限り、添付の図面の全てが縮尺通りではないことに留意されたい。上記の教示に照らして、以下の特許請求の範囲から逸脱することなく、様々な修正および変形が可能である。
【図１】
0006816298.tif 000002
【図２】
0006816298.tif 000003
【図３】
0006816298.tif 000004
【図４】
0006816298.tif 000005
【図５】
0006816298.tif 000006
【図６】
0006816298.tif 000007
【図７】
0006816298.tif 000008
【図８】
0006816298.tif 000009
【図９】
0006816298.tif 000010
【図１０】
0006816298.tif 000011
【図１１】
0006816298.tif 000012
【図１２】
0006816298.tif 000013
【図１３】
0006816298.tif 000014